(57)【特許請求の範囲】
【請求項１】
ユーザ機器（ＵＥ）における無線通信の方法であって、
信号を受信することと、ここで、前記受信された信号は、サービス提供セルからの第１のセル信号および非サービス提供セルからの第２のセル信号を備える、
前記第２のセル信号を復号することに関連付けられたパラメータをブラインドに推定することと、
前記ブラインドに推定されたパラメータに基づいて前記受信された信号を処理することと、ここで、前記受信された信号を処理することは、前記受信された信号からシンボルを除去することを備え、前記除去されたシンボルは、前記第２のセル信号からのシンボルである、
を備え、
前記第２のセル信号に関連付けられたパラメータをブラインドに推定することは、前記第２のセル信号の送信技術をブラインドに決定することを備える、方法。
【請求項２】
前記受信された信号は、第２のセルからの制御チャネルおよびダウンリンク共有チャネルのうちの少なくとも１つを備える、請求項１に記載の方法。
【請求項３】
前記第２のセル信号の送信技術を決定することは、前記第２のセル信号が、セル特有の基準信号（ＣＲＳ）に基づいているか、またはＵＥ特有の基準信号（ＵＥ−ＲＳ）に基づいているかを判定することを備える、請求項１に記載の方法。
【請求項４】
前記第２のセル信号の送信技術を決定することは、前記第２のセル信号が、リソース・ブロック（ＲＢ）ベースであるか、またはスロット・ベースであるかに少なくとも部分的に基づく、請求項１に記載の方法。
【請求項５】
前記第２のセル信号に関連付けられたパラメータをブラインドに推定することはさらに、前記第２のセル信号の空間スキームを決定することを備える、請求項１に記載の方法。
【請求項６】
前記第２のセル信号の空間スキームを決定することは、前記第２のセル信号が、送信ダイバーシティ送信を用いているか、ランク１送信を用いているか、またはランク２送信を用いているかを判定することを備える、請求項５に記載の方法。
【請求項７】
前記第２のセル信号の空間スキームを決定することは、前記第２のセル信号が、空間周波数ブロック・コーディング（ＳＦＢＣ）送信を用いているか否かを判定することを備える、請求項６に記載の方法。
【請求項８】
前記第２のセル信号がランク１送信を用いていると判定された場合、前記第２のセル信号のために、どのプリコーディング行列インジケータ（ＰＭＩ）が用いられるかを決定すること、をさらに備える請求項６に記載の方法。
【請求項９】
前記第２のセル信号の空間スキームを決定することは、前記第２のセル信号が、空間周波数ブロック・コーディング（ＳＦＢＣ）送信であるか、ランク１送信であるか、またはランク２送信である可能性に対応する複数の確率を決定することを備える、請求項５に記載の方法。
【請求項１０】
前記第２のセル信号に関連付けられたパラメータをブラインドに推定することはさらに、前記第２のセル信号の変調フォーマットを決定することを備える、請求項５に記載の方法。
【請求項１１】
前記第２のセル信号の送信技術を決定することは、前記第２のセル信号の変調フォーマットまたは空間スキームまたはその両方を決定することの前に実行され、
前記第２のセル信号の変調フォーマットまたは空間スキームまたはその両方を決定することは、前記第２のセル信号の送信技術を決定することに少なくとも部分的に基づいて実行される、請求項１０に記載の方法。
【請求項１２】
前記第２のセル信号の変調フォーマットを決定することは、前記第２のセル信号の変調フォーマットが、許可された変調フォーマットのうちの１つである可能性に対応する複数の確率を決定することを備え、
前記許可された変調フォーマットは、バイナリ・フェーズ・シフト・キーイング（ＢＰＳＫ）、直交フェーズ・シフト・キーイング（ＱＰＳＫ）、異なる変調オーダの直交振幅変調（ＱＡＭ）、および、異なる変調オーダのフェーズ・シフト・キーイング（ＰＳＫ）の１つを含む、請求項１０に記載の方法。
【請求項１３】
前記第２のセル信号の変調フォーマットを決定することは、前記変調フォーマットが、直交フェーズ・シフト・キーイング（ＱＰＳＫ）、ある変調オーダの直交振幅変調（ＱＡＭ）、および、ある変調オーダのフェーズ・シフト・キーイング（ＰＳＫ）のうちの１つであるか否かを判定することを備える、請求項１０に記載の方法。
【請求項１４】
前記第２のセル信号の空間スキームを決定することまたは、前記第２のセル信号の変調フォーマットを決定することまたはその両方は、並行して実行される、請求項１３に記載の方法。
【請求項１５】
前記第２のセル信号の空間スキームを決定することは、前記第２のセル信号の変調フォーマットを決定することの前に実行される、請求項１３に記載の方法。
【請求項１６】
前記送信技術を決定することは、複数の送信技術に関連付けられた、重みを与え、
前記方法はさらに、前記複数の送信技術に関連付けられた、重みに基づいて、前記受信された信号を処理することを備える、請求項１３に記載の方法。
【請求項１７】
前記複数の送信技術は、少なくともＣＲＳおよびＵＥ−ＲＳを備える、請求項１６に記載の方法。
【請求項１８】
ユーザ機器（ＵＥ）における無線通信の方法であって、
信号を受信することと、ここで、前記受信された信号は、サービス提供セルからの第１のセル信号および非サービス提供セルからの第２のセル信号を備える、
前記第２のセル信号を復号することに関連付けられたパラメータをブラインドに推定することと、
前記ブラインドに推定されたパラメータに基づいて前記受信された信号を処理することと、ここで、前記受信された信号を処理することは、前記受信された信号からシンボルを除去することを備え、前記除去されたシンボルは、前記第２のセル信号からのシンボルである、
を備え、
前記信号は、第１のシンボルのセットおよび第２のシンボルのセットを備え、
前記第２のセル信号を復号することに関連付けられたパラメータをブラインドに推定することはさらに、
前記第１のシンボルのセットおよび前記第２のシンボルのセットに基づいてメトリックを決定することと、
前記メトリックをしきい値と比較することと、
前記比較に基づいて、前記第２のセル信号に関連付けられた空間スキームを決定することとを備える、方法。
【請求項１９】
ユーザ機器（ＵＥ）における無線通信の方法であって、
信号を受信することと、ここで、前記受信された信号は、サービス提供セルからの第１のセル信号および非サービス提供セルからの第２のセル信号を備える、
前記第２のセル信号を復号することに関連付けられたパラメータをブラインドに推定することと、
前記ブラインドに推定されたパラメータに基づいて前記受信された信号を処理することと、ここで、前記受信された信号を処理することは、前記受信された信号からシンボルを除去することを備え、前記除去されたシンボルは、前記第２のセル信号からのシンボルである、
を備え、
前記第２のセル信号を復号することに関連付けられたパラメータをブラインドに推定することはさらに、
空間スキームおよび変調フォーマットのうちの少なくとも１つが知られていないと判定することと、
複数のコンステレーションを決定することと、ここで、おのおののコンステレーションは、可能な空間スキームまたは変調フォーマットの組み合わせまたはその両方に関連付けられた、送信される可能性のある複数の変調されたシンボルを備える、
おのおののコンステレーションの重みを決定することと、
を備え、
前記受信された信号を処理することは、前記決定された複数のコンステレーションと前記決定されたコンステレーションの重みとを用いて、シンボル・レベル干渉除去を実行することを備える、方法。
【請求項２０】
無線通信のための装置であって、
信号を受信する手段と、ここで、前記受信された信号は、サービス提供セルからの第１のセル信号および非サービス提供セルからの第２のセル信号を備える、
前記第２のセル信号を復号することに関連付けられたパラメータをブラインドに推定する手段と、
前記ブラインドに推定されたパラメータに基づいて前記受信された信号を処理する手段と、前記受信された信号を処理する手段は、前記受信された信号から、前記第２のセル信号によるシンボルを除去するように動作可能である、
を備え、
前記第２のセル信号に関連付けられたパラメータをブラインドに推定する手段は、前記第２のセル信号の送信技術を決定する、装置。
【請求項２１】
前記受信された信号は、第２のセルからの制御チャネルおよびダウンリンク共有チャネルのうちの少なくとも１つを備える、
請求項２０に記載の装置。
【請求項２２】
前記第２のセル信号の送信技術を決定する手段は、前記第２のセル信号が、セル特有の基準信号（ＣＲＳ）に基づいているか、またはＵＥ特有の基準信号（ＵＥ−ＲＳ）に基づいているかを判定する、請求項２０に記載の装置。
【請求項２３】
前記第２のセル信号に関連付けられたパラメータをブラインドに推定する手段は、前記第２のセル信号の空間スキームを決定する、請求項２０に記載の装置。
【請求項２４】
前記第２のセル信号の空間スキームを決定する手段は、前記第２のセル信号が、送信ダイバーシティ送信を用いているか、ランク１送信を用いているか、またはランク２送信を用いているかを判定し、
前記第２のセル信号の空間スキームを決定する手段は、前記第２のセル信号がランク１送信を用いていると判定された場合、前記第２のセル信号のために、どのプリコーディング行列インジケータ（ＰＭＩ）が用いられるかを決定する、請求項２３に記載の装置。
【請求項２５】
前記第２のセル信号の空間スキームを決定する手段は、前記第２のセル信号が、空間周波数ブロック・コーディング（ＳＦＢＣ）送信であるか、ランク１送信であるか、またはランク２送信である可能性に対応する複数の確率を決定する、請求項２３に記載の装置。
【請求項２６】
前記第２のセル信号に関連付けられたパラメータをブラインドに推定する手段は、前記第２のセル信号の変調フォーマットを決定する、請求項２３に記載の装置。
【請求項２７】
前記第２のセル信号の変調フォーマットを決定する手段は、前記変調フォーマットが、直交フェーズ・シフト・キーイング（ＱＰＳＫ）、ある変調オーダの直交振幅変調（ＱＡＭ）、および、ある変調オーダのフェーズ・シフト・キーイング（ＰＳＫ）のうちの１つであるか否かを判定する、請求項２６に記載の装置。
【請求項２８】
前記第２のセル信号の変調フォーマットを決定する手段は、前記第２のセル信号の変調フォーマットが、直交フェーズ・シフト・キーイング（ＱＰＳＫ）、ある変調オーダの直交振幅変調（ＱＡＭ）、および、ある変調オーダのフェーズ・シフト・キーイング（ＰＳＫ）のうちの少なくとも１つである確率に対応する複数の確率を決定する、請求項２６に記載の装置。
【請求項２９】
前記第２のセル信号の送信技術を決定することは、前記第２のセル信号の変調フォーマットまたは空間スキームまたはその両方を決定することの前に実行され、
前記第２のセル信号の変調フォーマットまたは空間スキームまたはその両方を決定することは、前記第２のセル信号の送信技術を決定することに少なくとも部分的に基づいて実行される、請求項２６に記載の装置。
【請求項３０】
前記送信技術を決定することは、複数の送信技術に関連付けられた、重みを与え、
前記受信された信号を処理する手段は、前記複数の送信技術に関連付けられた、重みに基づいて、前記受信された信号から、前記第２のセル信号による干渉を除去する、請求項２６に記載の装置。
【請求項３１】
無線通信のための装置であって、
信号を受信する手段と、ここで、前記受信された信号は、サービス提供セルからの第１のセル信号および非サービス提供セルからの第２のセル信号を備える、
前記第２のセル信号を復号することに関連付けられたパラメータをブラインドに推定する手段と、
前記ブラインドに推定されたパラメータに基づいて前記受信された信号を処理する手段と、前記受信された信号を処理する手段は、前記受信された信号から、前記第２のセル信号によるシンボルを除去するように動作可能である、
を備え、
前記信号は、第１のシンボルのセットおよび第２のシンボルのセットを備え、
前記第２のセル信号を復号することに関連付けられたパラメータをブラインドに推定する手段は、
前記第１のシンボルのセットおよび前記第２のシンボルのセットに基づいてメトリックを決定し、
前記メトリックをしきい値と比較し、
前記比較に基づいて、前記第２のセル信号に関連付けられた空間スキームを決定する、装置。
【請求項３２】
無線通信のための装置であって、
信号を受信する手段と、ここで、前記受信された信号は、サービス提供セルからの第１のセル信号および非サービス提供セルからの第２のセル信号を備える、
前記第２のセル信号を復号することに関連付けられたパラメータをブラインドに推定する手段と、
前記ブラインドに推定されたパラメータに基づいて前記受信された信号を処理する手段と、前記受信された信号を処理する手段は、前記受信された信号から、前記第２のセル信号によるシンボルを除去するように動作可能である、
を備え、
前記第２のセル信号を復号することに関連付けられたパラメータをブラインドに推定する手段は、
空間スキームおよび変調フォーマットのうちの少なくとも１つが知られていないと判定し、
複数のコンステレーションを決定し、ここで、おのおののコンステレーションは、可能な空間スキームまたは変調フォーマットの組み合わせまたはその両方に関連付けられた、送信される可能性のある複数の変調されたシンボルを備える、
おのおののコンステレーションの重みを決定する、ここで、前記受信された信号を処理する手段は、前記決定された複数のコンステレーションと前記決定されたコンステレーションの重みとを用いて、シンボル・レベル干渉除去を実行する、装置。
【請求項３３】
無線通信のためのコンピュータ実行可能なコードを格納するコンピュータ読取可能な記憶媒体であって、
信号を受信することと、ここで、前記受信された信号は、サービス提供セルからの第１のセル信号および非サービス提供セルからの第２のセル信号を備える、
前記第２のセル信号を復号することに関連付けられたパラメータをブラインドに推定することと、
前記ブラインドに推定されたパラメータに基づいて前記受信された信号を処理することと、ここで、前記受信された信号を処理することは、前記受信された信号から、前記第２のセル信号によるシンボルを除去するように動作可能である、
のためのコード、を備え、
前記第２のセル信号に関連付けられたパラメータをブラインドに推定することは、前記第２のセル信号の送信技術を決定する、コンピュータ読取可能な記憶媒体。
【請求項３４】
無線通信のための装置であって、
メモリと、
前記メモリに結合され、
信号を受信することと、ここで、前記受信された信号は、サービス提供セルからの第１のセル信号および非サービス提供セルからの第２のセル信号を備える、
前記第２のセル信号を復号することに関連付けられたパラメータをブラインドに推定することと、
前記ブラインドに推定されたパラメータに基づいて前記受信された信号を処理することと、
ここで、前記受信された信号を処理することは、前記受信された信号から、前記第２のセル信号によるシンボルを除去するように動作可能である、
を実行するように構成された処理システムと、を備え、
前記第２のセル信号に関連付けられたパラメータをブラインドに推定することは、前記第２のセル信号の送信技術を決定する、装置。
【請求項３５】
無線通信の方法であって、
サービス提供セルからの第１のセル信号および非サービス提供セルからの第２のセル信号を備える信号を受信することと、
前記受信された信号から前記第２のセル信号による干渉を除去することと、
前記信号の空間スキームおよび変調フォーマットのうちの少なくとも１つが知られていないことを判定することと、
複数のコンステレーションを決定することと、ここで、おのおののコンステレーションは、前記第２のセル信号の可能な空間スキームまたは変調フォーマットの組み合わせまたはその両方に関連付けられた、送信される可能性のある複数の変調されたシンボルを備える、
おのおののコンステレーションの重みを決定することと、
前記決定された複数のコンステレーションと前記決定されたおのおののコンステレーションの重みとを用いて、受信された信号を処理することと、を備える方法。
【請求項３６】
前記複数のコンステレーションにおいて、送信される可能性のある変調されたシンボルのおのおののシンボル重みを決定することをさらに備え、
前記受信された信号を処理することは、前記決定されたシンボル重みを用いて実行される、請求項３５に記載の方法。
【請求項３７】
おのおののコンステレーションの重みは、割り当てられた値に少なくとも部分的に基づいて決定される、請求項３５に記載の方法。
【請求項３８】
空間スキーム検出および変調フォーマット検出のうちの少なくとも１つに少なくとも部分的に基づいて、グループ重みが決定される、請求項３５に記載の方法。
【請求項３９】
前記信号はセルから受信され、
前記セルとの以前の通信に少なくとも部分的に基づいて、グループ重みが決定される、請求項３５に記載の方法。
【請求項４０】
送信機との以前の通信に少なくとも部分的に基づいて、グループ重みが決定される、請求項３５に記載の方法。
【請求項４１】
前記受信された信号を処理することは、送信される可能性のある変調されたシンボルの拡張コンステレーションに少なくとも部分的に基づいて実行され、
前記拡張コンステレーションは、前記複数のコンステレーションの結合を備え、
前記拡張コンステレーション内のおのおののシンボルの確率は、前記シンボルが属するコンステレーションの、決定された重みに少なくとも部分的に基づいて決定される、請求項３５に記載の方法。
【請求項４２】
無線通信のための装置であって、
サービス提供セルからの第１のセル信号および非サービス提供セルからの第２のセル信号を備える信号を受信する手段と、
前記受信された信号から前記第２のセル信号による干渉を除去する手段と、
前記信号の空間スキームおよび変調フォーマットのうちの少なくとも１つが知られていないことを判定する手段と、
複数のコンステレーションを決定する手段と、ここで、おのおののコンステレーションは、前記第２のセル信号の可能な空間スキームまたは変調フォーマットの組み合わせまたはその両方に関連付けられた、送信される可能性のある複数の変調されたシンボルを備える、
おのおののコンステレーションの重みを決定する手段と、
前記決定された複数のコンステレーションと前記決定されたおのおののコンステレーションの重みとを用いて、前記受信された信号を処理する手段と、を備える装置。
【請求項４３】
前記複数のコンステレーションにおいて、送信される可能性のある変調されたシンボルのおのおののシンボル重みを決定する手段をさらに備え、
前記受信された信号を処理することは、前記決定されたシンボル重みを用いて実行される、請求項４２に記載の装置。
【請求項４４】
前記コンステレーションのおのおのの重みは、割り当てられた値に少なくとも部分的に基づいて決定される、請求項４２に記載の装置。
【請求項４５】
空間スキーム検出および変調フォーマット検出のうちの少なくとも１つに少なくとも部分的に基づいて、グループ重みが決定される、請求項４２に記載の装置。
【請求項４６】
前記信号はセルから受信され、
前記セルとの以前の通信に少なくとも部分的に基づいて、グループ重みが決定される、請求項４２に記載の装置。
【請求項４７】
送信機との以前の通信に少なくとも部分的に基づいて、グループ重みが決定される、請求項４２に記載の装置。
【請求項４８】
前記受信された信号を処理することは、送信される可能性のある変調されたシンボルの拡張コンステレーションに少なくとも部分的に基づいて実行され、
前記拡張コンステレーションは、前記複数のコンステレーションの結合を備え、
前記拡張コンステレーション内のおのおののシンボルの確率は、前記シンボルが属するコンステレーションの、決定された重みに少なくとも部分的に基づく、請求項４２に記載の装置。
【請求項４９】
無線通信のためのコンピュータ実行可能なコードを格納するコンピュータ読取可能な記憶媒体であって、
サービス提供セルからの第１のセル信号および非サービス提供セルからの第２のセル信号を備える信号を受信することと、
前記受信された信号から前記第２のセル信号による干渉を除去することと、
前記信号の空間スキームおよび変調フォーマットのうちの少なくとも１つが知られていないことを判定することと、
複数のコンステレーションを決定することと、ここで、おのおののコンステレーションは、前記第２のセル信号の可能な空間スキームまたは変調フォーマットの組み合わせまたはその両方に関連付けられた、送信される可能性のある複数の変調されたシンボルを備える、
おのおののコンステレーションの重みを決定することと、
前記決定された複数のコンステレーションと前記決定されたおのおののコンステレーションの重みとを用いて、前記受信された信号を処理することと
のためのコード、を備えるコンピュータ読取可能な記憶媒体。
【請求項５０】
無線通信の装置であって、
メモリと、
前記メモリに結合され、
サービス提供セルからの第１のセル信号および非サービス提供セルからの第２のセル信号を備える信号を受信することと、
前記受信された信号から前記第２のセル信号による干渉を除去することと、
前記信号の空間スキームおよび変調フォーマットのうちの少なくとも１つが知られていないことを判定することと、
複数のコンステレーションを決定することと、ここで、おのおののコンステレーションは、前記第２のセル信号の可能な空間スキームまたは変調フォーマットの組み合わせまたはその両方に関連付けられた、送信される可能性のある複数の変調されたシンボルを備える、
おのおののコンステレーションの重みを決定することと、
前記決定された複数のコンステレーションと前記決定されたおのおののコンステレーションの重みとを用いて、前記受信された信号を処理する
ように構成された処理システムと、を備える装置。
【発明の詳細な説明】
【関連出願に対する相互参照】
【０００１】
本出願は、２０１１年１１月４日に出願され“Interference Cancellation Having Blind Detection”（ブラインド検出を有する干渉除去）と題された米国仮出願６１／５５６，１１５号と、２０１１年１１月５日に出願され“Method and Apparatus for Interference Cancelation by a User Equipment Involving Blind Spatial Scheme Detection”（ブラインド空間スキーム検出を含む、ユーザ機器による干渉除去のための方法および装置）と題された米国仮出願６１／５５６，２１７号と、２０１１年１１月８日に出願され“Symbol Level Interference Cancellation with Unknown Transmission Scheme and/or Modulation Order”（未知の送信スキームおよび／または変調オーダを用いたシンボル・レベル干渉除去）と題された米国仮出願６１／５５７，３３２号と、２０１２年５月４日に出願され“Method and Apparatus for Interference Cancellation by a User Equipment Using Blind Detection”（ブラインド検出を用いた、ユーザ機器による干渉除去のための方法および装置）と題された米国出願１３／４６４，９０５号との利益を主張する。これらのおのおのは、全体が参照によって本明細書に明確に組み込まれている。
【技術分野】
【０００２】
本開示は、一般に、通信システムに関し、さらに詳しくは、ブラインド検出を含む、ユーザ機器（ＵＥ）による干渉除去に関する。
【背景技術】
【０００３】
無線通信システムは、例えば電話技術、ビデオ、データ、メッセージング、およびブロードキャストのようなさまざまな通信サービスを提供するように広く開発された。一般に、無線通信システムは、利用可能なシステム・リソース（例えば、帯域幅、送信電力）を共有することにより、複数のユーザとの通信をサポートすることができる多元接続技術を適用しうる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、および時分割同時符号分割多元接続（ＴＤ−ＳＣＤＭＡ）システムを含む。
【０００４】
これらの多元接続技術は、異種の無線デバイスが、市レベル、国レベル、地方レベル、あるいは地球レベルでさえも通信することを可能にする共通のプロトコルを提供するために、さまざまな通信規格に採用されている。新興の通信規格の一例は、ロング・ターム・イボリューション（ＬＴＥ）である。ＬＴＥは、第３世代パートナシップ計画（３ＧＰＰ）によって公布されたユニバーサル・モバイル通信システム（ＵＭＴＳ）モバイル規格に対する強化のセットである。これは、スペクトル効率を改善することによってモバイル・ブロードバンド・インターネット・アクセスを良好にサポートし、コストを低減し、サービスを改善し、新たなスペクトルを活用し、ダウンリンク（ＤＬ）においてＯＦＤＭＡを、アップリンク（ＵＬ）においてＳＣ−ＦＤＭＡを、および、複数入力複数出力（ＭＩＭＯ）アンテナ技術を用いて他のオープンな規格と良好に統合するように設計されている。
【０００５】
無線通信ネットワークは、多くのＵＥのための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。基地局は、ダウンリンクでＵＥへデータおよび制御情報を送信し、および／または、アップリンクでＵＥからデータおよび制御情報を受信しうる。ダウンリンクでは、基地局からの送信が、近隣の基地局からの、または、その他の無線ラジオ周波数（ＲＦ）送信機からの送信による干渉と遭遇しうる。アップリンクでは、ＵＥからの送信が、近隣の基地局と通信する別のＵＥのアップリンク送信からの、または、別の無線ＲＦ送信機からの干渉と遭遇しうる。この干渉は、ダウンリンクとアップリンクとの両方のパフォーマンスを低下させうる。
【０００６】
モバイル・ブロードバンド・アクセスに対する需要が増加し続けているので、ＬＴＥ技術におけるさらなる改良の必要性が存在する。より多くのＵＥが長距離無線通信ネットワークにアクセスすることや、より短距離の無線システムがコミュニティにおいて展開されることとともに、干渉および混雑したネットワークの可能性が高まる。研究開発は、モバイル・ブロードバンド・アクセスのための増加する需要を満たすためのみならず、モバイル通信とのユーザ経験を進化および向上させるために、ＵＭＴＳ技術を進化させ続けている。好適には、これらの改善は、これらの技術を適用するその他の多元接続技術および通信規格に適用可能であるべきである。
【発明の概要】
【０００７】
ＵＥは、第１のセル（例えば、サービス提供セル）および第２の非サービス提供セルからの信号を含む信号を受信する。この信号は、第１のシンボルのセットと、第２のシンボルのセットとを備えうる。受信された信号から、第２のセル信号による干渉を、さらなる制御情報を受信することなく除去するために、ＵＥは、第２のセル信号を復号することに関連付けられたパラメータをブラインドに推定する。このようなパラメータは、第２のセル信号の空間スキーム、変調フォーマット、および送信モードのうちの何れかを含みうる。これは、第１のシンボルのセットと第２のシンボルのセットとに基づいてメトリックを決定することと、このメトリックをしきい値と比較することと、を含みうる。信号のためのパラメータは、この比較に基づいて決定されうる。
【０００８】
第２のセル信号による信号の一部を復号することに関連付けられたパラメータのブラインド推定はまた、空間スキームおよび変調フォーマットが知られていないと判定することをも含みうる。その後、複数のコンステレーションが決定されうる。各コンステレーションは、可能な空間スキームと変調フォーマットとの組み合わせに関連付けられた、送信される可能性のある複数の変調されたシンボルを備える。各コンステレーションについて、確率重みが決定され、複数のコンステレーションとそれらの割り当てられた確率重みとの組み合わせが用いられ、干渉除去が実行されうる。
【０００９】
本開示の態様では、方法、コンピュータ・プログラム製品、および装置が提供される。この装置は、第１のセルからの第１のセル信号と、第２のセルからの第２のセル信号とを備える信号を受信する。第２のセル信号は、ダウンリンク共有チャネルまたは制御チャネルでありうる。この装置は、第２のセル信号を復号することに関連付けられたパラメータ（例えば、送信モード、変調フォーマット、および／または、空間スキーム）をブラインドに推定する。この装置は、受信された信号から、第２のセル信号による干渉を除去する。この干渉除去は、ブラインドに推定されたパラメータに基づく。
【００１０】
別の態様では、装置が少なくとも１つの信号を受信する装置、コンピュータ・プログラム製品、および方法が提供される。この信号は、第１のシンボルのセットと第２のシンボルのセットとを備える。この装置は、第１のシンボルのセットと第２のシンボルのセットとに基づいてメトリックを決定することと、このメトリックをしきい値と比較することと、この比較に基づいて、少なくとも１つの信号に関連付けられた空間スキームを決定することとによって、第２のシンボルのセットに関連付けられたパラメータをブラインドに推定する。
【００１１】
別の態様では、装置が信号を受信し、この信号の空間スキームおよび変調フォーマットのうちの少なくとも１つが知られていないと判定する装置、コンピュータ・プログラム製品、および方法が提供される。その後、この装置は、複数のコンステレーションを決定する。各コンステレーションは、可能な空間スキームと変調フォーマットとの組み合わせに関連付けられた、送信される可能性のある複数の変調されたシンボルと、各コンステレーションのための対応する確率重みとを備える。その後、この装置は、決定された複数のコンステレーションと、各コンステレーションについて決定された確率重みとを用いて、空間スキームと変調フォーマットとのうちの少なくとも１つを決定する。
【図面の簡単な説明】
【００１２】
【図１】図１は、ネットワーク・アーキテクチャの例を例示する図解である。
【図２】図２は、アクセス・ネットワークの例を例示する図解である。
【図３】図３は、ＬＴＥにおけるＤＬフレーム構造の例を例示する図解である。
【図４】図４は、ＬＴＥにおけるＵＬフレーム構造の例を例示する図解である。
【図５】図５は、ユーザ・プレーンおよび制御プレーンのためのラジオ・プロトコル・アーキテクチャの例を例示する図解である。
【図６】図６は、アクセス・ネットワークにおけるイボルブド・ノードＢおよびユーザ機器の例を例示する図解である。
【図７】図７は、ヘテロジニアスなネットワークにおける範囲拡張セルラ領域を例示する図解である。
【図８】図８は、方法の例を例示する図解である。
【図９】図９は、無線通信の方法の例のフロー・チャートである。
【図１０】図１０は、無線通信の方法の例のフロー・チャートである。
【図１１】図１１は、無線通信の方法の例のフロー・チャートである。
【図１２】図１２は、無線通信の方法の例のフロー・チャートである。
【図１３】図１３は、無線通信の方法の例のフロー・チャートである。
【図１４Ａ】図１４Ａは、無線送信されたシンボルの送信コンステレーションの例である。
【図１４Ｂ】図１４Ｂは、無線送信されたシンボルの送信コンステレーションの例である。
【図１４Ｃ】図１４Ｃは、無線送信されたシンボルの送信コンステレーションの例である。
【図１５】図１５は、変調フォーマットおよび／または空間スキームを知ることなくシンボル・レベル干渉除去を行う方法の例を例示するブロック図である。
【図１６】図１６は、無線通信の方法の例のフロー・チャートである。
【図１７】図１７は、無線通信の方法の例を例示する概念フロー図である。
【図１８】図１８は、装置の例における異なるモジュール／手段／構成要素間のデータ・フローの例を例示する概念的なデータ・フロー図である。
【図１９】図１９は、装置の例における異なるモジュール／手段／構成要素間のデータ・フローを例示する概念的なデータ・フロー図である。
【図２０】図２０は、装置の例における異なるモジュール／手段／構成要素間のデータ・フローを例示する概念的なデータ・フロー図である。
【図２１】図２１は、処理システムを適用する装置のためのハードウェア実装の例を例示する図解である。
【図２２】図２２は、処理システムを適用する装置のためのハードウェア実装の例を例示する図解である。
【図２３】図２３は、処理システムを適用する装置のためのハードウェア実装の例を例示する図解である。
【発明を実施するための形態】
【００１３】
詳細な説明
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１４】
通信システムのいくつかの態様が、さまざまな装置および方法に対する参照を用いて表されうる。これらの装置および方法は、さまざまなブロック、モジュール、構成要素、回路、ステップ、処理、アルゴリズム等（集合的に「要素」と称される）によって、後述する詳細説明に記述されており、添付図面に例示される。これらの要素は、電子ハードウェア、コンピュータ・ソフトウェア、またはこれら任意の組み合わせを用いて実現されうる。これらの要素がハードウェアとしてまたはソフトウェアとして実現されるかは、特定のアプリケーションおよびシステム全体に課せられている設計制約に依存する。
【００１５】
例として、要素、要素の任意の部分、または、要素の任意の組み合わせは、１または複数のプロセッサを含む「処理システム」を用いて実現されうる。プロセッサの例は、マイクロプロセッサ、マイクロコントローラ、デジタル信号プロセッサ（ＤＳＰ）、フィールド・プログラマブル・ゲート・アレイ（ＦＰＧＡ）、プログラマブル論理デバイス（ＰＬＤ）、ステート・マシン、ゲート・ロジック、ディスクリート・ハードウェア回路、およびこの開示の全体にわたって記載されたさまざまな機能を実行するように構成されたその他の適切なハードウェアを含んでいる。処理システムにおける１または複数のプロセッサは、ソフトウェアを実行しうる。ソフトウェアは、ソフトウェア、ファームウェア、ミドルウェア、マイクロコード、ハードウェア記述言語、またはその他で称されるに関わらず、命令群、命令群セット、コード、コード・セグメント、プログラム・コード、プログラム、サブプログラム、ソフトウェア・モジュール、アプリケーション、ソフトウェア・アプリケーション、パッケージ・ソフト、ルーチン、サブルーチン、オブジェクト、実行形式、実行スレッド、手順、機能等を意味するように広く解釈されるものとする。
【００１６】
したがって、１または複数の典型的な実施形態では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして符号化されうる。コンピュータ読取可能な媒体は、コンピュータ記憶媒体を含む。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるようにディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、Ｂｌｕ−ｒａｙ（登録商標）ディスク（ｄｉｓｃ）を含む。ここで、ｄｉｓｋは通常、データを磁気的に再生し、ｄｉｓｃは、レーザを用いてデータを光学的に再生する。前述した組み合わせもまた、コンピュータ読取可能な媒体の範囲内に含まれるべきである。
【００１７】
図１は、ＬＴＥネットワーク・アーキテクチャ１００を例示する図解である。ＬＴＥネットワーク・アーキテクチャ１００は、イボルブド・パケット・システム（ＥＰＳ）１００と称されうる。ＥＰＳ１００は、１または複数のユーザ機器（ＵＥ）１０２、イボルブドＵＭＴＳ地上ラジオ・アクセス・ネットワーク（Ｅ−ＵＴＲＡＮ）１０４、イボルブド・パケット・コア（ＥＰＣ）１１０、ホーム加入者サーバ（ＨＳＳ）１２０、およびオペレータのＩＰサービス１２２を含みうる。ＥＰＳは、他のアクセス・ネットワークと相互接続しうるが、簡略のために、これらエンティティ／インタフェースは図示していない。図示されるように、ＥＰＳは、パケット交換サービスを提供する。しかしながら、当業者であれば容易に認識するであろうが、本開示にわたって示されているさまざまな概念は、回路交換サービスを提供しているネットワークに拡張されうる。
【００１８】
Ｅ−ＵＴＲＡＮは、イボルブド・ノードＢ（ｅＮＢ）１０６およびその他のｅＮＢ１０８を含んでいる。ｅＮＢ１０６は、ＵＥ１０２向けのユーザ・プレーン・プロトコル終端および制御プレーン・プロトコル終端を提供する。ｅＮＢ１０６は、バックホール（例えば、Ｘ２インタフェース）を介して他のｅＮＢ１０８に接続されうる。ｅＮＢ１０６はまた、当業者によって、基地局、基地トランシーバ局、ラジオ基地局、ラジオ・トランシーバ、トランシーバ機能、基本サービス・セット（ＢＳＳ）、拡張サービス・セット（ＥＳＳ）、またはその他いくつかの適切な用語として称されうる。ｅＮＢ１０６は、ＵＥ１０２のために、ＥＰＣ１１０にアクセス・ポイントを提供する。ＵＥ１０２の例は、セルラ電話、スマートフォン、セッション開始プロトコル（ＳＩＰ）電話、ラップトップ、携帯情報端末（ＰＤＡ）、衛星ラジオ、全地球測位システム、マルチメディア・デバイス、ビデオ・デバイス、デジタル・オーディオ・プレーヤ（例えば、ＭＰ３プレーヤ）、カメラ、ゲーム機、またはその他の類似の機能デバイスを含む。ＵＥ１０２はまた、当業者によって、移動局、加入者局、モバイル・ユニット、加入者ユニット、無線ユニット、遠隔ユニット、モバイル・デバイス、無線デバイス、無線通信デバイス、遠隔デバイス、モバイル加入者局、アクセス端末、モバイル端末、無線端末、遠隔端末、ハンドセット、ユーザ・エージェント、モバイル・クライアント、クライアント、またはその他いくつかの適切な用語で称されうる。
【００１９】
ｅＮＢ１０６は、Ｓ１インタフェースによってＥＰＣ１１０に接続される。ＥＰＣ１１０は、モビリティ管理エンティティ（ＭＭＥ）１１２、その他のＭＭＥ１１４、サービス提供ゲートウェイ１１６、およびパケット・データ・ネットワーク（ＰＤＮ）ゲートウェイ１１８を含む。ＭＭＥ１１２は、ＵＥ１０２とＥＰＣ１１０との間のシグナリングを処理する制御ノードである。一般に、ＭＭＥ１１２はベアラおよび接続管理を提供する。すべてのユーザＩＰパケットは、ＰＤＮゲートウェイ１１８に接続されているサービス提供ゲートウェイ１１６を介して転送される。ＰＤＮゲートウェイ１１８は、ＵＥにＩＰアドレス割当のみならず、その他の機能も提供する。ＰＤＮゲートウェイ１１８は、オペレータのＩＰサービス１２２に接続される。オペレータのＩＰサービス１２２は、インターネット、イントラネット、ＩＰマルチメディア・サブシステム（ＩＭＳ）、およびＰＳストリーミング・サービス（ＰＳＳ）を含んでいる。
【００２０】
図２は、ＬＴＥネットワーク・アーキテクチャにおけるアクセス・ネットワーク２００の例を例示する図解である。この例では、アクセス・ネットワーク２００は、多くのセルラ領域（セル）２０２に分割される。１または複数の低電力クラスのｅＮＢ２０８は、これらセル２０２のうちの１または複数とそれぞれオーバラップするセルラ領域２１０を有しうる。低電力クラスｅＮＢ２０８は、フェムト・セル（例えば、ホームｅＮＢ（ＨｅＮＢ）、ピコ・セル、ミクロ・セル、または遠隔ラジオ・ヘッド（ＲＲＨ）でありうる。マクロｅＮＢ２０４はおのおの、各セル２０２に割り当てられ、セル２０２内のすべてのＵＥ２０６のためにＥＰＣ１１０へアクセス・ポイントを提供するように構成されている。アクセス・ネットワーク２００のこの例では、中央コントローラは存在しないが、別の構成では、中央コントローラが使用されうる。ｅＮＢ２０４は、ラジオ・ベアラ制御、許可制御、モビリティ制御、スケジューリング、セキュリティ、および、サービス提供ゲートウェイ１１６への接続を含むすべてのラジオ関連機能を担当する。
【００２１】
アクセス・ネットワーク２００によって適用される変調および多元接続スキームは、展開されている特定の通信規格に依存して変動しうる。ＬＴＥアプリケーションでは、周波数分割デュプレクス（ＦＤＤ）と時分割デュプレクス（ＴＤＤ）との両方をサポートするために、ＤＬでＯＦＤＭが使用され、ＵＬでＳＣ−ＦＤＭＡが使用される。当業者であれば、後述する詳細記載から容易に認識されるように、本明細書で示されたさまざまな概念が、ＬＴＥアプリケーションにも同様に適合することを認識するであろう。しかしながら、これらの概念は、その他の変調技術および多元接続技術を適用するその他の通信規格へ容易に拡張されうる。例によれば、これらの概念は、イボリューション・データ・オプティマイズド（ＥＶ−ＤＯ）またはウルトラ・モバイル・ブロードバンド（ＵＭＢ）へ拡張されうる。ＥＶ−ＤＯおよびＵＭＢは、ＣＤＭＡ２０００規格ファミリの一部として第３世代パートナシップ計画２（３ＧＰＰ２）によって公布されたエア・インタフェース規格であり、移動局へのブロードバンド・インターネット・アクセスを提供するためにＣＤＭＡを適用する。これらの概念は、例えばＴＤ−ＳＣＤＭＡのように、広帯域ＣＤＭＡ（Ｗ−ＣＤＭＡ）およびＣＤＭＡのその他の派生を適用するユニバーサル地上ラジオ・アクセス（ＵＴＲＡ）、ＴＤＭＡを適用するグローバル移動体通信（ＧＳＭ（登録商標））、ＯＦＤＭＡを適用するイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、およびフラッシュＯＦＤＭ、にも拡張されうる。ＵＴＲＡ、Ｅ−ＵＴＲＡ、ＵＭＴＳ、ＬＴＥ、およびＧＳＭは、３ＧＰＰ団体からの文書に記載されている。ＣＤＭＡ２０００およびＵＭＢは、３ＧＰＰ２団体からの文書に記載されている。適用されている実際の無線通信規格および多元接続技術は、特定のアプリケーションと、システムに課せられている全体的な設計制約とに依存するであろう。
【００２２】
ｅＮＢ２０４は、ＭＩＭＯ技術をサポートする複数のアンテナを有しうる。ＭＩＭＯ技術を使用することにより、ｅＮＢ２０４は、空間多重化、ビームフォーミング、および送信ダイバーシティをサポートするために空間領域を活用できるようになる。空間多重化は、同じ周波数で、異なるデータ・ストリームを同時に送信するために使用されうる。データ・ストリームは、データ・レートを高めるために単一のＵＥ２０６へ、全体的なシステム容量を高めるために複数のＵＥ２０６へ、送信されうる。これは、各データ・ストリームを空間的にプリコードし（すなわち、振幅およびフェーズのスケーリングを適用し）、空間的にプリコードされた各ストリームを、ＤＬで、複数の送信アンテナを介して送信することによって達成される。この空間的にプリコードされたデータ・ストリームは、異なる空間シグニチャを持つＵＥ（単数または複数）２０６に到着する。これによって、ＵＥ（単数または複数）２０６のおのおのは、ＵＥ２０６のために指定された１または複数のデータ・ストリームを復元できるようになる。ＵＬでは、おのおののＵＥ２０６が、空間的にプリコードされたデータ・ストリームを送信する。これによって、ｅＮＢ２０４は、空間的にプリコードされた各データ・ストリームのソースを識別できるようになる。
【００２３】
チャネル条件が良好な場合、空間多重化が一般に使用される。チャネル条件がさほど好ましくない場合、送信エネルギを１または複数の方向に集中させるためにビームフォーミングが使用されうる。これは、複数のアンテナを介した送信のために、データを空間的にプリコードすることによって達成されうる。セルの端部における良好な有効通信範囲を達成するために、単一のストリーム・ビームフォーミング送信が、送信ダイバーシティと組み合わされて使用されうる。
【００２４】
以下に続く詳細説明では、アクセス・ネットワークのさまざまな態様が、ＤＬでＯＦＤＭをサポートするＭＩＭＯシステムに関して記述されるだろう。ＯＦＤＭは、ＯＦＤＭシンボル内の多くのサブキャリアにおいてデータを変調するスペクトル拡散技術である。サブキャリアは、正確な周波数で隔離されている。この間隔は、受信機が、サブキャリアからデータを復元することを可能にする「直交性」を提供する。時間領域では、ＯＦＤＭ間シンボル干渉と格闘するために、各ＯＦＤＭシンボルにガード間隔（例えば、サイクリック・プレフィクス）が追加されうる。ＵＬは、高いピーク対平均電力比（ＰＡＲＲ）を補償するために、ＤＦＴ拡散ＯＦＤＭ信号の形態でＳＣ−ＦＤＭＡを使用しうる。
【００２５】
図３は、ＬＴＥにおけるＤＬフレーム構造の例を例示する図解３００である。フレーム（１０ミリ秒）が、等しいサイズの１０のサブ・フレームに分割されうる。おのおののサブ・フレームは、２つの連続する時間スロットを含みうる。おのおのがリソース・ブロックを含む２つの時間スロットを表すために、リソース・グリッドが使用されうる。リソース・グリッドは、複数のリソース要素に分割される。ＬＴＥでは、リソース・ブロックは、おのおののＯＦＤＭシンボルにおける通常のサイクリック・プレフィクスについて、周波数領域において１２の連続するサブキャリアを、時間領域において７つの連続するＯＦＤＭシンボルを、すなわち、８４のリソース要素を含んでいる。拡張されたサイクリック・プレフィクスのために、リソース・ブロックは、時間領域において６つの連続したＯＦＤＭシンボルを含み、７２のリソース要素を有する。Ｒ３０２，３０４として示されるような、リソース要素のいくつかは、ＤＬ基準信号（ＤＬ−ＲＳ）を含む。ＤＬ−ＲＳは、（しばしば、共通ＲＳとも称される）セル特有のＲＳ（ＣＲＳ）３０２と、ＵＥ特有のＲＳ（ＵＥ−ＲＳ）３０４とを含んでいる。ＵＥ−ＲＳ３０４は、対応する物理ＤＬ共有チャネル（ＰＤＳＣＨ）がマップされるリソース・ブロックにおいてのみ送信される。各リソース要素によって伝送されるビット数は、変調スキームに依存する。したがって、ＵＥが受信するリソース・ブロックが増え、変調スキームが高くなると、ＵＥのためのデータ・レートが高くなる。
【００２６】
図４は、ＬＴＥにおけるＵＬフレーム構造の例を例示する図解４００である。ＵＬのために利用可能なリソース・ブロックは、データ・セクションおよび制御セクションに分割されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。このＵＬフレーム構造の結果、データ・セクションは、連続するサブキャリアを含むようになる。これによって、データ・セクションにおいて連続するサブキャリアのすべてが単一のＵＥに割り当てられるようになる。
【００２７】
ＵＥは、ｅＮＢへ制御情報を送信するために、制御セクションにおいてリソース・ブロック４１０ａ，４１０ｂを割り当てられうる。ＵＥはまた、ｅＮＢへデータを送信するために、データ・セクションにおいてリソース・ブロック４２０ａ，４２０ｂを割り当てられうる。ＵＥは、制御セクションにおいて割り当てられたリソース・ブロックで、物理ＵＬ制御チャネル（ＰＵＣＣＨ）で制御情報を送信しうる。ＵＥは、データ・セクションにおいて割り当てられたリソース・ブロックで、物理ＵＬ共有チャネル（ＰＵＳＣＨ）で、データのみ、または、データと制御情報との両方を送信しうる。ＵＬ送信は、サブ・フレームの両スロットにおよび、周波数を越えてホップしうる。
【００２８】
物理ランダム・アクセス・チャネル（ＰＲＡＣＨ）４３０における初期システム・アクセスの実行と、ＵＬ同期の達成とのために、リソース・ブロックのセットが使用されうる。ＰＲＡＣＨ４３０は、ランダム・シーケンスを伝送するが、どのＵＬデータ／シグナリングも伝送することができない。ランダム・アクセス・プリアンブルはおのおの、６つの連続するリソース・ブロックに対応する帯域幅を占有する。開始周波数は、ネットワークによって指定される。すなわち、ランダム・アクセス・プリアンブルの送信は、ある時間リソースおよび周波数リソースに制限される。ＰＲＡＣＨのための周波数ホッピングは無い。ＰＲＡＣＨ試行は、単一のサブフレーム（１ミリ秒）で伝送されるか、少数の連続したサブ・フレームのシーケンスで伝送されうる。そして、ＵＥは、フレーム（１０ミリ秒）毎に１回のＰＲＡＣＨ試行しか行わないことがある。
【００２９】
図５は、ＬＴＥにおけるユーザ・プレーンおよび制御プレーンのためのラジオ・プロトコル・アーキテクチャの例を例示する図解５００である。ＵＥおよびｅＮＢのためのラジオ・プロトコル・アーキテクチャが、３つのレイヤ、すなわち、レイヤ１、レイヤ２、およびレイヤ３を用いて図示される。レイヤ１（Ｌ１レイヤ）は、最下位レイヤであり、さまざまな物理レイヤ信号処理機能を実施する。Ｌ１レイヤは、本明細書では物理レイヤ５０６と称されるだろう。レイヤ２（Ｌ２レイヤ）５０８は、物理レイヤ５０６上にあり、物理レイヤ６０６を介したＵＥとｅＮＢとの間のリンクを担当する。
【００３０】
ユーザ・プレーンでは、Ｌ２レイヤ５０８は、媒体アクセス制御（ＭＡＣ）サブレイヤ５１０と、ラジオ・リンク制御（ＲＬＣ）サブレイヤ５１２と、パケット・データ収束プロトコル（ＰＤＣＰ）サブレイヤ５１４とを含む。これらは、ネットワーク側におけるｅＮＢにおいて終端する。図示されていないが、ＵＥは、ネットワーク側におけるＰＤＮゲートウェイ１１８で終了するネットワーク・レイヤ（例えば、ＩＰレイヤ）を含む、Ｌ２レイヤ５０８上のいくつかの上部レイヤと、（例えば、遠くのエンドＵＥ、サーバ等のような）接続の他端において終了するアプリケーション・レイヤとを有しうる。
【００３１】
ＰＤＣＰサブレイヤ５１４は、異なるラジオ・ベアラと論理チャネルとの間の多重化を提供する。ＰＤＣＰサブレイヤ５１４はまた、ラジオ送信オーバヘッドを低減するための上部レイヤ・データ・パケットのためのヘッダ圧縮、データ・パケットを暗号化することによるセキュリティ、および、ｅＮＢ間のＵＥのためのハンドオーバ・サポートを提供する。ＲＬＣサブレイヤ５１２は、上部レイヤ・データ・パケットのセグメント化および再アセンブル、喪失したデータ・パケットの再送信、および、ハイブリッド自動反復要求（ＨＡＲＱ）による順不同な受信を補償するためのデータ・パケットの並べ替えを提供する。ＭＡＣサブレイヤ５１０は、論理チャネルと伝送チャネルとの間の多重化を提供する。ＭＡＣサブレイヤ５１０はまた、１つのセル内のさまざまなラジオ・リソース（例えば、リソース・ブロック）を、ＵＥ間に割り当てることをも担当する。ＭＡＣサブレイヤ５１０はまた、ＨＡＲＱ動作をも担当する。
【００３２】
制御プレーンでは、ＵＥおよびｅＮＢのためのラジオ・プロトコル・アーキテクチャは、制御プレーンのためのヘッダ圧縮機能が無いことを除いて、物理レイヤ５０６およびＬ２レイヤ５０８について実質的に同じである。制御プレーンはまた、レイヤ３（Ｌ３レイヤ）にラジオ・リソース制御（ＲＲＣ）サブレイヤ５１６を含んでいる。ＲＲＣサブレイヤ５１６は、ラジオ・リソース（すなわち、ラジオ・ベアラ）を取得することと、ＲＲＣシグナリングを用いてｅＮＢとＵＥとの間に下部レイヤを設定することと、を担当する。
【００３３】
図６は、アクセス・ネットワークにおいてＵＥ６５０と通信しているｅＮＢ６１０のブロック図である。ＤＬでは、コア・ネットワークからの上部レイヤ・パケットが、コントローラ／プロセッサ６７５へ提供される。コントローラ／プロセッサ６７５は、Ｌ２レイヤの機能を実現する。ＤＬでは、コントローラ／プロセッサ６７５は、さまざまな優先度判定基準に基づいて、ヘッダ圧縮、暗号化、パケット・セグメント化および並べ替え、論理チャネルと伝送チャネルとの間の多重化、および、ＵＥ６５０へのラジオ・リソース割当を提供する。さらに、コントローラ／プロセッサ６７５はまた、ＨＡＲＱ動作、喪失パケットの再送信、およびＵＥ６５０へのシグナリングを担当する。
【００３４】
ＴＸプロセッサ６１６は、Ｌ１レイヤ（すなわち、物理レイヤ）のためのさまざまな信号処理機能を実施する。この信号処理機能は、ＵＥ６５０におけるフォワード誤り訂正（ＦＥＣ）を容易にするための符号化およびインタリービング、および、さまざまな変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ））に基づく信号コンステレーションへのマッピング、を含む。符号化および変調されたシンボルは、その後、並行なストリームへ分割される。おのおののストリームはその後、ＯＦＤＭサブキャリアへマップされ、時間領域および／または周波数領域において基準信号（例えば、パイロット）とともに多重化され、その後、逆高速フーリエ変換（ＩＦＦＴ）を用いてともに結合されることにより、時間領域ＯＦＤＭシンボル・ストリームを伝送する物理チャネルが生成される。このＯＦＤＭストリームは、空間的にプリコードされ、複数の空間ストリームが生成される。チャネル推定器６７４からのチャネル推定値は、空間処理のためのみならず、符号化および変調スキームを決定するためにも使用されうる。チャネル推定値は、ＵＥ６５０によって送信されたチャネル条件フィードバックおよび／または基準信号から導出されうる。おのおのの空間ストリームはその後、個別の送信機６１８ＴＸを介して別々のアンテナ６２０へ提供される。おのおのの送信機６１８ＴＸは、送信のために、それぞれの空間ストリームを用いてＲＦキャリアを変調する。
【００３５】
ＵＥ６５０では、おのおのの受信機６５４ＲＸが、それぞれのアンテナ６５２を介して信号を受信する。おのおのの受信機６５４ＲＸは、ＲＦキャリアにおいて変調された情報を復元し、この情報を、受信（ＲＸ）プロセッサ６５６へ提供する。ＲＸプロセッサ６５６は、Ｌ１レイヤのさまざまな信号処理機能を実施する。ＲＸプロセッサ６５６は、この情報に対して空間処理を実行し、ＵＥ６５０のために向けられた任意の空間ストリームを復元する。複数の空間ストリームが、ＵＥ６５０に向けられている場合、これらは、ＲＸデータ・プロセッサ６５６によって、単一のＯＦＤＭシンボル・ストリームへ結合されうる。ＲＸプロセッサ６５６は、その後、高速フーリエ変換（ＦＦＴ）を用いて、ＯＦＤＭシンボル・ストリームを、時間領域から周波数領域へ変換する。周波数領域信号は、ＯＦＤＭ信号のおのおののサブキャリアの個別のＯＦＤＭシンボル・ストリームを備える。おのおののサブキャリアにおけるシンボル、および基準信号は、ｅＮＢ６１０によって送信された最も可能性の高いコンステレーション・ポイントを判定することによって復元および復調される。これら軟判定は、チャネル推定器６５８によって計算されたチャネル推定値に基づきうる。これら軟判定はその後、復号およびデインタリーブされ、物理チャネル上でｅＮＢ６１０によって送信されたオリジナルのデータ信号および制御信号が復元される。データ信号および制御信号はその後、コントローラ／プロセッサ６５９へ提供される。
【００３６】
コントローラ／プロセッサ６５９は、Ｌ２レイヤを実現する。コントローラ／プロセッサは、プログラム・コードおよびデータを格納するメモリ６６０に関連付けられうる。メモリ６６０は、コンピュータ読取可能な媒体と称されうる。ＵＬでは、制御／プロセッサ６５９は、コア・ネットワークからの上部レイヤ・パケットを復元するために、伝送チャネルと論理チャネルとの間の逆多重化、パケット再アセンブリ、解読、ヘッダ伸張、制御信号処理を提供する。Ｌ２レイヤ上のすべてのプロトコル・レイヤを表す上部レイヤ・パケットは、その後、データ・シンク６６２へ提供される。Ｌ３処理のためにも、データ・シンク６６２へさまざまな制御信号が提供されうる。コントローラ／プロセッサ６５９はまた、ＨＡＲＱ動作をサポートするためにアクノレッジメント（ＡＣＫ）および／または否定的アクノレッジメント（ＮＡＣＫ）プロトコルを用いて、誤り検出を担当する。
【００３７】
ＵＬでは、コントローラ／プロセッサ６５９へ上部レイヤ・パケットを提供するために、データ・ソース６６７が使用される。データ・ソース６６７は、Ｌ２レイヤ上のすべてのプロトコル・レイヤを表す。ｅノードＢ６１０によるＤＬ送信に関して記載された機能と同様に、コントローラ／プロセッサ６５９は、ヘッダ圧縮、暗号化、パケット・セグメント化および並べ替え、および、ｅＮＢ６１０によるラジオ・リソース割当に基づく論理チャネルと伝送チャネルとの間の多重化を提供することによって、ユーザ・プレーンおよび制御プレーンのためのＬ２レイヤを実現する。さらに、コントローラ／プロセッサ６５９はまた、ＨＡＲＱ動作、喪失パケットの再送信、およびｅＮＢ６１０へのシグナリングを担当する。
【００３８】
ｅＮＢ６１０によって送信されたフィードバックまたは基準信号から、チャネル推定器６５８によって導出されたチャネル推定値が、適切な符号化スキームおよび変調スキームを選択するために、および、空間処理を容易にするために、ＴＸプロセッサ６６８によって使用されうる。ＴＸデータ・プロセッサ６６８によって生成された空間ストリームは、個別の送信機６５４ＴＸを介して別のアンテナ６５２に提供される。おのおのの送信機６５４ＴＸは、送信のために、それぞれの空間ストリームを用いてＲＦキャリアを変調する。
【００３９】
ＵＬ送信は、ＵＥ６５０における受信機機能に関して記載されたものと類似した方式で、ｅＮＢ６１０において処理される。おのおのの受信機６１８ＲＸは、それぞれのアンテナ６２０を介して信号を受信する。おのおのの受信機６１８ＲＸは、ＲＦキャリアへ変調された情報を復元し、この情報を、ＲＸデータ・プロセッサ６７０へ提供する。ＲＸプロセッサ６７０は、Ｌ１レイヤを実現しうる。
【００４０】
コントローラ／プロセッサ６７５は、Ｌ２レイヤを実現する。コントローラ／プロセッサ６７５は、プログラム・コードおよびデータを格納するメモリ６７６に関連付けられうる。メモリ６７６は、コンピュータ読取可能な媒体と称されうる。ＵＬでは、制御／プロセッサ６７５は、ＵＥ６５０からの上部レイヤ・パケットを復元するために、伝送チャネルと論理チャネルとの間の逆多重化、パケット再アセンブリ、解読、ヘッダ伸張、制御信号処理を提供する。コントローラ／プロセッサ６７５からの上部レイヤ・パケットは、コア・ネットワークへ提供されうる。コントローラ／プロセッサ６７５はまた、ＨＡＲＱ動作をサポートするためにＡＣＫおよび／またはＮＡＣＫプロトコルを用いて、誤り検出を担当する。
【００４１】
図７は、ヘテロジニアスなネットワークにおけるセル範囲拡張（ＣＲＥ）領域を例示する図解７００である。例えばピコ７１０ｂのような低電力クラスｅＮＢは、領域７０２を越えて拡張するＣＲＥ領域７０３を有しうる。低電力クラスｅＮＢは、ピコｅＮＢに限定されないが、さらにフェムトｅＮＢ、リレー、遠隔ラジオ・ヘッド（ＲＲＨ）等でもありうる。ピコｅＮＢ７１０ｂおよびマクロｅＮＢ７１０ａは、エンハンスされたセル間干渉調整技術を適用しうる。ＵＥ７２０は、干渉除去を適用しうる。エンハンスされたセル間干渉調整では、ピコ７１０ｂは、ＵＥ７２０の干渉条件に関する情報を、マクロｅＮＢ７１０ａから受信する。この情報によって、ピコ７１０ｂは、範囲拡張されたセルラ領域７０３においてＵＥ７２０にサービス提供することや、ＵＥ７２０が、範囲拡張されたセルラ領域７０３に入ると、マクロｅＮＢ７１０ａからのＵＥ７２０のハンドオフを受諾することが可能となる。
【００４２】
干渉除去（ＩＣ）は、例えば、ＬＴＥ／ＬＴＥアドバンスト（ＬＴＥ−Ａ）ＤＬにおける空間効率のような空間効率を改善する。干渉除去は、例えばＰＳＳ、二次同期信号（ＳＳＳ）、物理ブロードキャスト・チャネル（ＰＢＣＨ）、ＣＲＳ、復調基準信号（ＤＲＳ）、チャネル特有情報（ＣＳＩ）―ＲＳ、物理制御フォーマット・インジケータ・チャネル（ＰＣＦＩＣＨ）、物理ハイブリッドＡＲＱインジケータ・チャネル（ＰＨＩＣＨ）、物理ダウンリンク制御チャネル（ＰＤＤＣＨ）、およびＰＤＳＣＨのようなダウンリンク共有チャネル、を含むすべての物理チャネルおよび信号に適用されうる。
【００４３】
本明細書に記載された態様は、このようなＩＣを実行するために、必要なパラメータのうちの少なくともいくつかをブラインドに推定することによってＳＬＩＣを実行することによって、ＵＥがダウンリンクにおけるスペクトル効率を改善する有望な方式を提供する。
【００４４】
図８は、例えばＵＥ８０２のようなＵＥにおけるＩＣのための一般的な概観を例示するための図解８００である。図８に図示されるように、ＵＥ８０２は、第１のセル８０４から発せられた第１のセル信号８０８と、第２のセル８０６から発せられた第２のセル信号８１０とを含む信号８０８／８１０を受信する。第１のセル８０４は、サービス提供セルでありうる。第２のセル８０６は、近隣セルでありうる。ＵＥ８０２は、本明細書でさらに説明されるように、受信された信号８０８／８１０から、第２のセル信号８１０による干渉を除去することを試みうる。例えば、ＵＥは、本明細書で説明されるように、受信された信号８０８／８１０から、例えば第２のセル信号による干渉を除去するために、必要なパラメータをブラインドに推定しうる。
【００４５】
第２のセル信号８１０は、例えば、一次同期信号（ＰＳＳ）、二次同期信号（ＳＳＳ）、物理ブロードキャスト・チャネル（ＰＢＣＨ）、ＣＲＳ、復調基準信号（ＤＲＳ）、チャネル状態情報基準信号（ＣＳＩ―ＲＳ）、物理制御フォーマット・インジケータ・チャネル（ＰＣＦＩＣＨ）、物理ハイブリッド自動反復要求インジケータ・チャネル（ＰＨＩＣＨ）、物理ダウンリンク制御チャネル（ＰＤＤＣＨ）、およびＰＤＳＣＨ等、のような物理チャネルおよび／または信号のうちの何れか１つでありうる。以下の説明を簡単にするために、第１のセル信号８０８と第２のセル信号は、例えばＰＤＳＣＨのようなダウンリンク共有チャネルであると仮定される。しかしながら、説明されている方法および装置はまた、例えばＰＣＦＩＣＨ、ＰＨＩＣＨ，またはＰＤＣＣＨのような制御チャネルにも適用可能である。
【００４６】
ＰＤＳＣＨおよび／または制御チャネルＩＣは、２つの異なるアプローチ、すなわち、コードワード・レベルＩＣ（ＣＷＩＣ）およびシンボル・レベルＩＣ（ＳＬＩＣ）を用いて達成されうる。ＣＷＩＣでは、ＵＥは、受信された干渉信号から干渉データを復号し、これらを除去しうる。例えば、ＵＥ８０２は、第２のセル信号８１０における干渉データを復号することと、復号されたデータを、信号８０８／８１０から除去することとによって、第２のセル信号８１０による干渉を、信号８０８／８１０から除去しうる。ＣＷＩＣを実行するために、ＵＥ８０２は、一定のパラメータをネットワークから受信しなければならない。
【００４７】
一方、ＳＬＩＣでは、ＵＥ８０２は、受信された干渉元の信号からの干渉元の変調シンボルを、復号することなく検出し、除去する。例えば、ＵＥ８０２は、第２のセル信号８１０における変調シンボルを検出することと、第２のセル信号８１０による検出された変調シンボルを、信号８０８／８１０から除去することとによって、第２のセル信号８１０による干渉を、信号８０８／８１０から除去しうる。ＳＬＩＣアプローチは一般に、複雑さは低減されるが、ＣＷＩＣよりもパフォーマンスは低い。
【００４８】
ＣＷＩＣを実行するために、ＵＥ８０２は、空間スキーム、変調オーダおよび符号化スキーム（ＭＣＳ）、送信モード（例えば、ＵＥ−ＲＳに基づくか、またはＣＲＳに基づくか）、リソース・ブロック（ＲＢ）割当、冗長バージョン（ＲＶ）、制御領域スパン（ＰＣＦＩＣＨ値）、および第２のセル信号８１０に関連付けられたＴＰＲ、を知る必要がある。
【００４９】
ＳＬＩＣを実行するために、ＵＥ８０２は、空間スキーム、変調オーダ、送信モード（例えば、ＵＥ−ＲＳに基づくか、またはＣＲＳに基づくか）、ＲＢ割当、制御領域スパン（ＰＣＦＩＣＨ値）、および第２のセル信号８１０に関連付けられたＴＰＲ、を決定する必要がある。ＴＰＲを除く前述した情報のすべては、干渉元のＰＤＳＣＨに関連付けられた干渉元のＰＣＦＩＣＨおよびＰＤＣＣＨ送信を復号することによって取得されうる。しかしながら、干渉元のＰＤＣＣＨの復号は、一般に、困難となるであろう。
【００５０】
非ユニキャストＰＤＳＣＨ送信の場合、いくつかのパラメータは固定されているか、または、ＵＥ８０２に知られている。例えば、非ユニキャストＰＤＳＣＨ送信の場合、変調オーダはＱＰＳＫであり、空間スキームは、２つのＴｘアンテナの場合、空間周波数ブロック・コード（ＳＦＢＣ）であり、４つのＴｘアンテナの場合、ＳＦＢＣ−ＦＳＴＤ（周波数切換送信ダイバーシティ）であり、システム情報ブロック１（ＳＩＢ１）ＰＤＳＣＨのためにＲＶが知られている。これらパラメータのうちのいくつかは、推定されうる。
【００５１】
ユニキャストＰＤＳＣＨ送信のために、または、前述したパラメータがＵＥに知られていないのであれば、ＵＥは、送信モード、変調オーダ、および空間スキームのうちの少なくとも１つをブラインドに決定および／または推定することができうる。ＵＥはまた、ＲＢ割当（例えば、１つの干渉元しか存在しない場合）と、ＴＰＲとを決定することもできうる。しかしながら、干渉除去では、いくつかのパフォーマンス損失がありうる。例えばＭＣＳおよびＲＶのようなその他のパラメータは、推定することがより困難でありうる。
【００５２】
図９は、ブラインド検出に基づいて干渉除去を実行するための、例えばＵＥ８０２のようなＵＥにおける無線通信の方法９００を例示する。方法９００では、可能なサブ・ステップが、実線ではなく破線を用いて例示されている。これら可能なステップは、実現のために必要ではなく、方法９００の例のオプションの、典型的な機能である。
【００５３】
ＵＥは、ステップ９０２において、第１のセル信号（例えば、８０８）および第２のセル信号（例えば、８１０）を備える信号（例えば、組み合わされた信号８０８／８１０）を受信する。第１のセル信号は、例えばサービス提供セルにおいて発信され、第２のセル信号は、例えば、近隣のすなわち非サービス提供セルにおいて発信されうる。受信された信号は、第１のセルからの、例えばＰＤＳＣＨのようなダウンリンク共有チャネルと、第２のセルからの、例えばＰＤＳＣＨのようなダウンリンク共有チャネルとを含みうる。受信された信号は、第２のセルからの制御チャネルを含みうる。非サービス提供セルからの第２のセル信号は、受信される信号に干渉をもたらす。したがって、受信された信号において、第２のセル信号によって引き起こされた干渉を除去することが所望されるだろう。
【００５４】
ＵＥは、ステップ９０４において、第２のセル信号を復号することに関連付けられたパラメータをブラインドに推定する。このブラインド推定は、第２のセル信号の空間スキームと変調フォーマット（変調フォーマットは、変調スキームおよび変調オーダのうちの何れかを含みうる）とのうちの少なくとも１つに関連付けられたパラメータを検出することを含む。例えば、変調フォーマットは、異なる変調オーダのＢＰＳＫ、ＱＰＳＫ、Ｍ−ＱＡＭ（例えば、１６−ＱＡＭ、６４ＱＡＭ、２５６ＱＡＭ等）、異なる変調オーダのＰＳＫ（例えば、８ＰＳＫ等）等のうちの何れかを含みうる。
【００５５】
この推定は、受信された信号に基づいて、ＵＥ単独においてなされる。このアプローチでは、この推定は、ネットワークによって提供されたパラメータを有することなく、ブラインドでなされる。態様は、ネットワークから導出された必要なパラメータのうちのすべてまたはサブセットを含みうる。ブラインドで決定されるパラメータの場合、この決定は、推定された確率の形態でなされうる。
【００５６】
例えば、ブラインドで推定されたパラメータは、第２のセル信号の空間スキーム、変調フォーマット、および送信モードのうちの何れかに関連付けられたパラメータを含みうる。
【００５７】
ＵＥは、ステップ９０６において、第２のセル信号による干渉を、受信された信号から除去する。この干渉除去は、ブラインドで推定されたパラメータを用いて実行される。ステップ９０６は、受信された信号からのシンボルを除去するステップ９１４を含みうる。これら除去されたシンボルは、第２のセル信号からのシンボルでありうる。
【００５８】
第２のセル信号に関連付けられたパラメータのブラインド推定は、第２のセル信号の送信技術を決定すること（９０８）、第２のセル信号の空間スキームを決定すること（９１０）、および第２のセル信号の変調フォーマットを決定すること（９１２）のうちの任意の１つまたは組み合わせを含みうる。これら決定は、リソース・ブロック・ベースまたはスロット・ベースでありうる。したがって、決定は、第２の信号がリソース・ブロック・ベースであるかスロット・ベースであるかに少なくとも部分的に基づいてなされうる。ステップ９０８，９１０，９１２の何れの組み合わせも、ステップ９０４の一部として含まれうる。図１０は、可能なサブ・ステップを実線ではなく破線を用いて例示している。これら可能なステップは、実現のために必要ではなく、オプションの、典型的な機能である。例えば、第２のセル信号の送信技術を決定すること（９０８）は、ステップ１０１６に例示されるように、第２のセル信号がＣＲＳベースであるかＵＥ−ＲＳベースであるかを判定することを備えうる。送信モードの決定は、第２の信号がリソース・ブロック・ベースであるかスロット・ベースであるかに少なくとも部分的に基づいてなされうる。
【００５９】
第２のセル信号の空間スキームを決定すること（９１０）は、ステップ１０１８におけるように、例えば、第２のセル信号が、送信ダイバーシティ送信、ランク１送信、またはランク２送信を用いるか、または、その他のランク送信を用いるか、のようなランクを決定すること、を備えうる。送信ダイバーシティ送信は、ＳＦＢＣ送信でありうる。ランクを決定することに加えて、空間スキームを決定することはさらに、ステップ１０２０におけるように、所与のランク内でどのプリコーディング行列インジケータ（ＰＭＩ）が使用されているのかを含む。
【００６０】
第２のセル信号の空間スキームを決定すること（９１０）はまた、第２のセル信号が送信ダイバーシティ送信（例えば、ＳＦＢＣ送信）、ランク１送信、ランク２送信、またはその他のランク送信である可能性または確率に対応する複数の確率を決定すること、を備えうる。
【００６１】
第２のセル信号９１２の変調フォーマットの決定は、ステップ１０２２におけるように、変調フォーマットが、異なる変調オーダのＢＰＳＫ、ＱＰＳＫ、Ｍ−ＱＡＭ（例えば、１６−ＱＡＭ、６４ＱＡＭ、２５６ＱＡＭ等）、および、異なる変調オーダのＰＳＫ（例えば、８−ＰＳＫ）等であるか否かを決定することを備えうる。
【００６２】
変調フォーマットの決定は、第２のセル信号の変調フォーマットが、異なる変調オーダのＢＰＳＫ、ＱＰＳＫ、Ｍ−ＱＡＭ（例えば、１６−ＱＡＭ、６４ＱＡＭ、２５６ＱＡＭ等）や、異なる変調オーダのＭ−ＰＳＫ（例えば、８−ＰＳＫ等）等のうちの少なくとも１つであるとの可能性に対応する複数の確率を決定すること、を含みうる。
【００６３】
第２のセル信号の送信技術の決定は、第２のセル信号の変調フォーマットと空間スキームの決定の前になされ、第２のセル信号の変調フォーマットと空間スキームの決定は、第２のセル信号の送信技術の決定に少なくとも部分的に基づいてなされうる。したがって、送信技術が決定されると、決定された送信技術は、第２のセル信号の変調フォーマットおよび空間スキームを決定するために使用されうる。
【００６４】
第２のセル信号の空間スキームの決定と、第２のセル信号の変調フォーマットの決定は、並行してなされうるか、または、予め決定された順に実行されうる。例えば、第２のセル信号の空間スキームの決定は、第２のセル信号の送信技術の決定後、第２のセル信号の変調フォーマットの決定前に実行されうる。
【００６５】
送信技術の決定は、複数の送信技術に関連付けられた、重み付けられた確率を提供するために使用されうる。その後、第２のセル信号による干渉は、受信された信号から、複数の送信技術に関連付けられた重み付けられた確率に基づいて除去されうる。複数の送信技術が、ＣＲＳおよびＵＥ−ＲＳを含みうる。例えば、送信技術決定結果は、ＩＣスキームを決定するためのソフト・メトリックとして使用されうる。したがって、ＵＥは、送信技術のブラインド決定に基づいて、重み付けられた確率が適用された、ＣＲＳベースのＰＤＳＣＨ  ＩＣと、ＵＥ−ＲＳベースのＰＤＳＣＨ  ＩＣとの両方を実行しうる。例えば、送信技術決定の結果、９０％のＣＲＳと１０％のＵＥ−ＲＳが決定された場合、ＰＤＳＣＨ  ＩＣは、９０％のＣＲＳベースのＰＤＳＣＨ  ＩＣと、１０％のＵＥ−ＲＳベースのＰＤＳＣＨ  ＩＣとを用いて適用されうる。
【００６６】
図１１は、空間スキーム検出処理９１０の可能な態様を例示する。例示されるように、これらの態様は、ＵＥがパラメータをブラインドに推定するステップ９０４内に含まれうる。しかしながら、このブラインド空間スキーム検出は、ここでは、干渉除去のコンテキストで示されているが、このような決定は、他のアプリケーションにおいても有用でありうる。例えば、別のアプリケーションは、ＰＤＣＣＨにおいて空間スキームを提供することなく、ＰＤＳＣＨの送信を含みうる。
【００６７】
受信された信号（例えば、組み合わされた信号８０８／８１０）は、第１のシンボルのセットおよび第２のシンボルのセットを備えうる。第１のシンボルのセットおよび第２のシンボルのセットは、例えば図１７のＭＭＳＥ等化器１７１０のような等化器によって信号から取得されうる。
【００６８】
例えば、ステップ１０１８において、空間スキームが送信ダイバーシティ（ＳＦＢＣ）であるか、ランク１であるか、またはランク２であるかを判定することのように、第２のセル信号の空間スキームを決定すること（９１０）の一部として、ＵＥは、第１のシンボルのセットと第２のシンボルのセットとに基づいてメトリックを決定する（１１０２）。メトリックを決定すること（１１０２）に続いて、メトリックがこれら２つのシンボルのセット間の距離に基づくアルゴリズムの一例では、ＵＥが、このメトリックをしきい値と比較する（１１０４）。推定されたシンボルと対応するシンボルとの相違が、しきい値よりも大きいのであれば、予測された空間スキームが正しいことはありそうもないであろう。しかしながら、この相違がしきい値よりも小さいのであれば、予測されたスキームは、恐らく正しい。
【００６９】
ＵＥは、１１０６において、決定されたメトリックとしきい値との比較に基づいて、少なくとも１つの信号に関連付けられた空間スキームを決定する。
【００７０】
図１２は、無線通信において使用されうるブラインド空間スキーム検出器（ＢＳＳＤ）検出処理１２００の態様を例示する。その１つのアプリケーションは、非サービス提供セル信号のシンボル・レベル干渉除去である。ＢＳＳＤ検出処理は、第１のシンボルのセットと第２のシンボルのセットとを含む信号を受信し、これらシンボルを送信するために使用されうる可能な空間スキームを示すインジケーションを生成する。これは、開示されたアプローチのうちの１つの態様では、ＳＦＢＣ、ランク１、ランク２、またはその他のランクでありうる。オプションのサブ・ステップが、破線で例示されている。
【００７１】
ステップ１２０２では、ＵＥにおいて、第１のシンボルのセットと第２のシンボルのセットとを備える信号が受信される。前述したように、この信号は、例えばサービス提供セルから発信された第１のセル信号と、例えばサービス提供してない近隣のセルから発信された第２のセル信号とを含みうる。ＵＥは、受信された信号から、第２のセル信号による干渉を除去することを試みうる。第１のシンボルのセットと第２のシンボルのセットは、例えば図１７に関連して記載されているＭＭＳＥ等化器１７１０のような等化器からの信号から取得されうる。
【００７２】
ＵＥは、ステップ１１０２において、第１のシンボルのセットと第２のシンボルのセットに基づいてメトリックを決定する。これは、受信されたシンボルを、複素平面において、後方回転する（backrotating）ことを含みうる（１２１０）。前述したように、送信されたシンボルのうちの２つは、同じデータ・シンボルに基づく。送信されたシンボルは、後方回転によって、より容易に比較されるようになるであろう。後方回転されたシンボルは、対応するシンボルと比較され、相関ベースのアプローチ、または、距離において互いにどれくらい近いのかが判定される（１２１０）。例えば、空間スキーム仮定が正しい場合に予想されるように、後方回転されたシンボルと対応するシンボルとの相違が小さいのであれば、相違は、小さいか、または、存在しないに違いない。後方回転は、検出されうる可能な空間スキームのセットからの、少なくとも１つの空間スキームの構造に基づいて実行されうる。
【００７３】
ここに記載されているように、１２１４では、第１のベクトルが、第１のシンボルのセットに基づいて生成され、第２のベクトルが、第２のシンボルのセットに基づいて生成されうる。第１のベクトルおよび第２のベクトルは、最小信号対雑音比よりも高い信号対雑音比を有するシンボルを備えうる。第１のベクトルと第２のベクトルを生成することは、第１のシンボルのセットと第２のシンボルのセットの等化器出力を処理することを含みうる。メトリックを決定することは、第１のベクトルと第２のベクトルとの間の距離を計算することと、第１のベクトルと第２のベクトルとの間の相関を計算することと、または、より一般的には、第１のベクトルと第２のベクトルとが同じである可能性を計算することとを含みうる（１２１２）。ステップ１２１２は、第１のベクトルと第２のベクトルの間の距離の計算に少なくとも部分的に基づきうる（１２１６）。
【００７４】
ＵＥは、メトリックの決定（１１０２）後、ステップ１１０４において、メトリックをしきい値と比較する。前述したように、距離ベースのアルゴリズムの場合、メトリック（すなわち、距離）がしきい値よりも大きいのであれば、予測された空間スキームが正しいことはありそうもないであろう。しかしながら、この相違が、しきい値よりも小さいのであれば、予測されたスキームは正しい可能性が高い。
【００７５】
相関ベースのアルゴリズムの場合、メトリック（すなわち、相関）が、しきい値よりも大きいのであれば、予測されたスキームは正しい可能性が高い。メトリックが同じである可能性が高い場合、メトリックがしきい値よりも大きいのでれば、予測されたスキームは正しい可能性が高い。
【００７６】
ＵＥは、所与の空間スキームであることに関する硬判定を行う代わりに、メトリックに基づいて、所与の空間スキームであることの確率を決定しうる。例えば、ＵＥは、計算されたメトリックに基づいて、７０％の確率でＳＦＢＣであり、３０％の確率でＳＦＢＣではないと判定しうる。
【００７７】
ステップ１１０６では、この比較に基づいて、空間スキームが、少なくとも１つの信号に関連付けられていると判定されうる。例えば、この方法は、シンボルを検出すること、または、決定された空間スキームに基づいてデータ・ストリームを復号すること、を含みうる。その後、図１０および１１に関して例示されるように、検出されたシンボルまたは復号されたデータ・ストリームのうちの少なくとも１つを用いて干渉除去が実行されうる。
【００７８】
Ａ．ＳＦＢＣベースの決定
ＳＦＢＣおよび／またはランク１設計に本質的な構成は、非サービス提供セル信号のための空間スキームのブラインド決定を行うために使用されうる。例えば、２つのＴＸアンテナによって送信されたシンボルは、プリコーディング行列によって関係付けられる。これらの関係は、例えば信号の空間スキームのように、信号の、知られていないパラメータをブラインドに決定するために使用されうる。ＳＦＢＣシナリオでは、２つの信号が、ＵＥ８０２において、２つのＳＦＢＣ符号化トーンのおのおので、異なる受信アンテナでおのおの受信される。これらの２つの信号は互いに対応し、以下の式によって与えられる。
【数１】
0005940674.tif 000002
【００７９】
ここで、
ｋ，ｋ＋１は、トーン・インデクスであり、
ｓｉは、ＴＸアンテナｉから送信されたシンボルであり、
ｈｉｊは、ＴＸアンテナｉからＲＸアンテナｊへのチャネル利得であり、
ｙｊは、ＲＸアンテナｊで受信された信号である。
【００８０】
例えば、ｈ２１は、第２のＴＸアンテナから第１のＲＸアンテナへのチャネル利得である。式［１］および式［２］によって示されるように、シンボルのペアが、おのおのの信号で送信される。したがって、４つのシンボルが送信される。
【００８１】
送信された４つのシンボルは、以下を含む。
【数２】
0005940674.tif 000003
【００８２】
ここで、ｘｉ[ｋ]は、ＴＸアンテナｉから送信されたデータ・シンボルである。式  例えば、フェージングまたはその他の非干渉要因によって、非常に低いＳＮＲしか有さないトーンが存在するのであれば、検出結果は影響を受けうる。したがって、１つの態様では、トーンのＳＮＲ値がしきい値よりも低い場合に、トーンが検出において無視されるように、しきい値が設定されうる。しきい値の実際のレベルは、当業者によって決定されうる。
【００８３】
１．ＳＦＢＣ距離ベースの検出
ＢＳＳＤ処理の第２の部分は、距離または相関ベースの決定規則を含む。距離ベースの決定プロセスでは、アンテナｉ＝１，２について、トーンｋによるＵＥ８０２における等化器の出力が、以下の式によって表されうる。
【数３】
0005940674.tif 000004
【００８４】
ここで、  
【数４】
0005940674.tif 000005
【００８５】
は、ｓｉの推定値であり、ｎは、ゼロ平均および単位分散（unit variance）を持つ誤りまたは雑音項である。ＳＦＢＣの距離ベクトルｄは、以下の式によって決定されうる。
【数５】
0005940674.tif 000006
【００８６】
ここで、  
【数６】
0005940674.tif 000007
【００８７】
は、それぞれ、ｓａおよびｓｂの雑音項であり、  
【数７】
0005940674.tif 000008
【００８８】
によって与えられる。
【００８９】
ここで、Ｎは、検出のために利用可能なトーンの総数を示す。したがって、ＴＸアンテナにつきＮ個のシンボルが存在する。ｓａおよびｓｂは、１次元ベクトルである。ｓｂに複素共役が適用される。雑音がない場合、  
【数８】
0005940674.tif 000009
【００９０】
は、同一であるべきであり、送信シナリオがＳＦＢＣである場合、ｄはゼロに等しくなるであろう。
【００９１】
雑音がある場合、  
【数９】
0005940674.tif 000010
【００９２】
の平均は、以下の式によって与えられる。  
【数１０】
0005940674.tif 000011
【００９３】
したがって、しきい値ｔｄを用いた距離ベースのＳＦＢＣ検出規則が、以下の式によって表わされうる。
【数１１】
0005940674.tif 000012
【００９４】
２．ＳＦＢＣ相関ベースの検出
相関ベースの検出処理では、信号がＳＦＢＣであれば、以下の特性が観察される。
【数１２】
0005940674.tif 000013
【００９５】
信号がＳＦＢＣベースではないのであれば、すべてのシンボルが異なり、［１５］―［１８］がゼロになるだろう。相関ベースの検出処理は、シンボルのペア間の相関を推定することと、これら相関をしきい値と比較することとによって、ＳＦＢＣシナリオと非ＳＦＢＣシナリオとを区別するために、この特性を利用しうる。例えば、相関は、［１５］と［１６］の間で推定されうる。しきい値は、当業者によって決定されうる。
【００９６】
したがって、図１１に例示された例に関連して、  
【数１３】
0005940674.tif 000014
【００９７】
が構築されうる。ここで、  
【数１４】
0005940674.tif 000015
【００９８】
は、ｓａおよびｓｂの雑音推定値である。これら推定値は、等化器１７１０から受信した出力から構築されうる。
【００９９】
第１のシンボルのセットおよび第２のシンボルのセットに基づいて決定されたメトリック（１１０２）は、距離または相関メトリックでありうる。距離メトリックの場合、ＳＦＢＣの距離ベクトルｄは、式［８］にしたがって決定されうる。
【０１００】
決定された距離は、例えば、１１０４におけるように、式［１４］を用いて、しきい値と比較されうる。式によって例示されるように、この距離は、それぞれのシンボルのＳＮＲによって補償されうる。別のアプローチでは、シンボルの相関付けは、式［１５］−［１８］によって示される特性を用いてなされうる。例として、送信がＳＦＢＣでなければ、相関は、大きさが小さいか、ゼロになるであろう。
【０１０１】
ＵＥは、この比較に基づいて、少なくとも１つの信号に関連付けられた空間スキームを決定する（１１０６）。例えば、式［１４］によって与えられた比較が、ＳＦＢＣのしきい値に関して真である場合、空間スキームは、ＳＦＢＣに基づくものと判定されうる。別の例では、式［１５］−［１８］を用いて比較された相関が、しきい値よりも大きいのであれば、空間ストリームは、ＳＦＢＣであると判定されうる。
【０１０２】
Ｂ．ランク１ベースの決定
図１１および１２に関連して例示されるように、ＢＳＳＤ処理１２００はまた、ランク１シナリオにも適用されうる。ランク１送信の場合、２つの信号が、各受信アンテナにおいて、ＵＥ８０２において、おのおののトーンで受信される。
【数１５】
0005940674.tif 000016
【０１０３】
ここで、
ｋは、トーン・インデクスであり、
ｓｉは、ＴＸアンテナｉから送信されたシンボルであり、
ｈｉｊは、ＴＸアンテナｉからＲＸアンテナｊへのチャネル利得であり、
ｙｊは、ＲＸアンテナｊにおいて受信された信号である。
【０１０４】
シンボルのペアが、信号で送信される。送信される２つのシンボルは、  
【数１６】
0005940674.tif 000017
【０１０５】
を含む。
【０１０６】
ここで、ｗは、ランク１プリコーディング・ベクトルであり、ｘ［ｋ］は、プリコーディング前のデータ・シンボルである。
【０１０７】
２つのＴＸ  ｅＮＢの場合、ｗは、４つの値のうちの１つを取りうる。
【数１７】
0005940674.tif 000018
【０１０８】
式［２０］乃至［２１］によって例示されるように、ランク１でｅＮＢによって送信される２つのシンボルは、同じデータ・シンボルに依存する。特に、ｗの可能な値を考慮すると、シンボルｓ１［ｋ］およびｓ２［ｋ］は、同一でありうるか、または、互いの変動でありうる。ＢＳＳＤのためのこのアプローチは、ランク１およびＰＭＩ検出のためにこの特性を利用する。本明細書において開示されたＢＳＳＤ検出処理の１つの態様では、ランク１およびＰＭＩのための検出は、複素平面において、対応するシンボルを後方回転させることを含む。
【０１０９】
ＢＳＳＤ処理の第２の部分は、距離または相関ベースの決定規則を適用することを含む。
【０１１０】
１．ランク１距離ベースの検出
距離ベースの決定処理の場合、アンテナｉ＝１，２について、トーンｋによる、ＵＥ８０２における等化器の出力は、式  
【数１８】
0005940674.tif 000019
【０１１１】
によって表されうる。
【０１１２】
この態様では、プリコーディング行列ｗの可能な値のおのおのについて、１つの検出器が使用され、信号で送信された複数のシンボルが検出される。したがって、２つのＴＸ  ｅＮＢの場合、４つの検出器が必要とされる。おのおのの検出器は、  
【数１９】
0005940674.tif 000020
【０１１３】
を除いて、ＳＦＢＣ検出器と同一である。
【０１１４】
ここで、Ｎ個のシンボルは、おのおののＴＸによって送信される。
【０１１５】
この関係は、シンボル間の距離を決定するために、前述した式  ２．ランク１相関ベースの検出
提案されたＢＳＳＤアプローチの別の態様では、相関ベースの検出処理が使用されうる。ここでは、以下の特性が、ランク１について観察されるだろう。
【数２０】
0005940674.tif 000021
【０１１６】
ここで、信号がランク１ベースではないのであれば、シンボルは異なり、相関せず、  
【数２１】
0005940674.tif 000022
【０１１７】
となるであろう。
【０１１８】
相関ベースの検出処理は、シンボルのペア間の相関を推定することと、これら相関をしきい値と比較することとによって、ランク１シナリオか非ランク１シナリオかを区別するために、これら特性を利用しうる。例えば、相関は［２８］と［２９］の間で推定されうる。しきい値は、当業者によって決定されうる。
【０１１９】
Ｃ．コンステレーションを用いたパラメータの推定
ブラインド空間スキームおよび変調フォーマット検出は、所望に応じて、特に、非サービス提供セル信号強度が十分に高くはない場合、常に実行される訳ではない。これによって、しばしば、非サービス提供セル信号の空間スキームまたは変調フォーマットが、知られていないまたは不確定となるという結果になりうる。したがって、知られていないまたは不確定な変調フォーマットおよび／または空間スキームで動作するための態様が提案される。他のアプリケーションの中では、そのような態様は、ブラインド・シンボル・レベル干渉除去のオプションの態様として適用されうる。
【０１２０】
受信された信号について、知られていない空間スキームおよび変調フォーマットの態様は、図１３に例示される方式で決定されうる。
【０１２１】
ステップ１３０２において、信号が受信される。
【０１２２】
ステップ１３０４において、空間スキームおよび変調フォーマットのうちの少なくとも１つが知られていないか不確定であるとの判定がなされる。
【０１２３】
その後、ステップ１３０６において、複数のコンステレーションが決定される。これらコンステレーションのおのおのは、可能な空間スキームと変調フォーマットの組み合わせについて送信される可能性のあるシンボルに関連付けられた複数のポイントを備える。
【０１２４】
ステップ１３０８において、おのおののコンステレーションについて、確率重みが決定される。これらコンステレーションのおのおのの確率重みは、割り当てられた値、空間スキーム検出、変調フォーマット検出、セルまたは送信機との以前の通信、のうちの少なくとも１つに基づいて決定されうる。
【０１２５】
おのおのの空間スキームおよび変調フォーマットの確率は、例えばステップ１３１０におけるように、シンボル・レベル干渉除去を実行するために使用されうる。しかしながら、これは、破線を用いて、オプションのステップとして例示されている。なぜなら、ステップ１３０２乃至１３０８に関連して記載された、知られていない空間スキームおよび変調フォーマットのブラインド判定は、別のアプリケーションにおいても同様に使用されうるからである。シンボル・レベル干渉除去は、送信される可能性のあるすべての変調シンボルの拡張コンステレーションに、少なくとも部分的に基づいて実行されうる。拡張コンステレーションは、複数のコンステレーションの組み合わせを備える。拡張コンステレーション内のおのおののシンボルの確率は、シンボルが属するコンステレーションの決定された確率重みに少なくとも部分的に基づいて決定されうる。
【０１２６】
拡張コンステレーションは、すべての可能な空間スキームと変調フォーマットとの組み合わせのために、受信される可能性のあるすべてのシンボル・ポイントを含みうる。拡張コンステレーションは、複数のコンステレーションのおのおのに割り当てられた確率重みと、それに対応するおのおののコンステレーション・ポイントとを用いて生成されうる。拡張コンステレーションが構築され、コンステレーション・ポイントの確率が決定されると、これらは、シンボル・レベル干渉除去を実行するために、処理ブロックへ渡されうる。
【０１２７】
図１４Ａ−Ｃは、知られていない空間スキームのための、およびＱＰＳＫ変調フォーマットのための、可能なコンステレーションの例を例示する。シンボル１の式は、次の通りである。
【数２２】
0005940674.tif 000023
【０１２８】
同様に、シンボル２の式は、次の通りである。
【数２３】
0005940674.tif 000024
【０１２９】
特定の変調スキームのために、おのおのの可能な空間スキームの、可能なシンボル位置が、決定されうる。例えば、ＱＰＳＫ変調のために、可能な空間スキームに基づくシンボルのための可能な位置は、  
【数２４】
0005940674.tif 000025
【０１３０】
によって与えられる。ここで、ＬＣＤＤは、大きなサイクリック遅延ダイバーシティである。上記式について、受信される可能性のあるシンボルは、図１４Ａ−Ｃに図示されるように、グラフ上にプロットされうる。
【０１３１】
２つのＴＸ構成を有するセルの場合、おのおのの送信アンテナからの送信は、空間スキームに基づいて異なりうる。ＳＦＢＣが使用される場合、おのおののアンテナは、一度に１つのシンボルをブロードキャストする。ＱＰＳＫ変調の場合、シンボルｓ１は、図１４Ａに例示される４つのポイントのうちの１つによって表される。第２のアンテナからの信号のシンボルは同じであるので、ｓ２は、図１４Ｂに例示されるように、同じ４つのポイントによって表されうる。図１４Ａ−Ｃに図示されるＱＰＳＫの例の場合、ＳＦＢＣおよびＴＭ４ランク１空間スキームが、同じ４つの可能なシンボル・ポイントを共有する。したがって、図１４Ａに例示される４つのポイントは、ＳＦＢＣまたはランク１空間スキームの何れかのための、シンボルｓ１およびｓ２のための４つの可能なポイントに対応する。
【０１３２】
ＬＣＤＤまたはランク２空間スキームが使用されている場合、アンテナは、異なるものを送信しうる。したがって、例えば、ランク２プリコーディングが使用されているのであれば、おのおののアンテナは、例えば、前述した式３０および３１からのシンボルｓ１およびｓ２のような、２つのＱＰＳＫシンボルの混合をブロードキャストしうる。図１４Ｂは、ＬＣＤＤおよびＴＭ４ランク２のための９つの可能なシンボル・ポイントを例示する。ＬＣＤＤとランク２は、これらの同じ９つの可能なポイントを共有する。
【０１３３】
図１４Ｃは、図１４Ａにおけるように、ＳＦＢＣおよびＴＭ４ランク１空間スキームに対応する４つの可能なポイントと、図１４Ｂにおけるように、ＬＣＤＤおよびＴＭ４ランク２空間スキームに対応する９つの可能なポイントとを組み合わせた拡張コンステレーションを例示する。したがって、ＱＰＳＫ変調を有する可能な空間スキームのために送信される可能性のある合計１３のシンボル・ポイントが存在する。図１４Ｃは、ＱＰＳＫ変調フォーマットのための知られていない空間スキームを備えた送信アンテナのための拡張コンステレーションにおいて送信される可能性のあるシンボルのおのおのを例示する。
【０１３４】
図１４Ａ−Ｃで例示された例は、変調フォーマットがＱＰＳＫであると仮定する。変調フォーマットが、知られているか、または、ＱＰＳＫであることが判明する可能性が高いのであれば、図１４Ｃにおける拡張コンステレーションは、送信される可能性のある変調シンボルのすべてを例示しうる。変調フォーマットが知られていないのであれば、このような複数のコンステレーションが、可能なおのおのの変調フォーマットのために構築されうる。ＬＴＥ／ＬＴＥ−Ａ  ＰＤＳＣＨ送信では、可能な変調フォーマットは、ＱＰＳＫ、１６ＱＡＭ、および６４ＱＡＭである。知られていない変調フォーマットは、可能なおのおのの空間スキームと変調フォーマットとの組み合わせについて、より多くのコンステレーションの組み合わせを有する、より大きな拡張コンステレーションとなる。
【０１３５】
変調フォーマット検出器、空間スキーム検出器、および／または、通信履歴に基づいて、コンステレーション・グループのおのおのに確率が割り当てられうる。または、これら確率は、おのおのの変調フォーマットと空間スキームとの組み合わせのために予め定義されうる。
【０１３６】
例えば、確率がアプリオリに知られているのであれば、予め定義された確率が、コンステレーションのおのおのに割り当てられうる。知られていない変調フォーマットの場合、例えば、ＱＰＳＫ、１６−ＱＡＭ、および６４−ＱＡＭにおのおの、予め定義された１／３の確率が割り当てられるか、または、変調フォーマット検出器および／または通信履歴からの決定に基づいて、確率が割り当てられうる。空間スキーム検出器が存在しないか、または、以前の通信を知らないと、この確率は、おのおのに５０％の確率が割り当てられた、（ＳＦＢＣおよびランク１コンステレーション・ポイントを含む）グループ１と（ＬＣＤＤおよびランク２コンステレーション・ポイントを含む）グループ２とに分けられる。コンステレーション内のおのおののポイントもまた、確率を割り当てられる。コンステレーションの確率は、コンステレーション内のコンステレーション・ポイント間で等しく分けられうる。例えば、おのおののグループに、５０％の確率が割り当てられる場合、グループ１の４つのポイントは、おのおの１２．５％の確率が与えられ、グループ２の９つのポイントは、おのおの約５．５％の確率が与えられる。確率は、通信が進行すると再割当されうる。
【０１３７】
別の例として、共有される４つのＳＦＢＣおよびＴＭ４ランク１ポイントは、「グループ１ポイント」にグループ化され、共有された９つのＬＣＤＤおよびＴＭ４ランク２ポイントは、「グループ２ポイント」にグループ化されうる。予め定義された確率は、その後、受信された信号が特定のグループにあるか否かに関して割り当てられうる。例えば、グループ１では７０％の可能性があり、グループ２では３０％の可能性がある。このスキームでは、ある空間スキームが可能なコンステレーション・ポイントを共有するので、（例えば、ランク１プリコーディングについて、ＰＭＩ毎または空間スキーム毎のような）グループ・レベルを超えてさらなる細分化をする必要はない。
【０１３８】
あるいは、確率重みは、空間スキーム検出および変調フォーマット検出のうちの少なくとも１つからの決定に少なくとも部分的に基づいて割り当てられうる。空間スキーム検出器１７０８および変調フォーマット検出器１７０４の例が、図１７に関連して記載される。変調フォーマット検出器および／または空間スキーム検出器は、確率をブラインドに割り当てるのではなく、軟判定（すなわち、おのおのの変調フォーマットおよび／または空間スキームの確率）を検出し、それにしたがって可能な変調フォーマットおよび／または空間スキームのおのおのに確率を割り当てるために実施されうる。
【０１３９】
変調フォーマット検出器は、コンステレーションにおけるシンボルのグループのために使用されるおのおのの変調フォーマットの可能性を決定するために、シンボルのコンステレーションが同じ変調フォーマットを共有する（例えば、リソース・ブロックにおけるシンボルが、同じ変調フォーマットを共有しうる）という事実に依存し、可能性メトリックに基づいて、おのおのの変調フォーマットの確率を生成しうる。同様に、空間スキーム検出器は、コンステレーションにおけるシンボルのグループのために使用されるおのおのの空間スキームの可能性を決定するために、シンボルのコンステレーションが同じ空間スキームを共有する（例えば、リソース・ブロックにおけるシンボルが、同じ空間スキームを共有しうる）という事実に依存し、可能性メトリックに基づいて、おのおのの空間スキームの確率を生成しうる。
【０１４０】
別の代案として、または、前述したものと組み合わせて、おのおのコンステレーションに割り当てられた確率は、以前の通信履歴に基づきうる。したがって、信号がセルまたは送信機から受信された場合、特定のセルまたは送信機との以前の通信に少なくとも部分的に基づいて確率重みが決定されうる。例えば、送信機からの通信の７０％がＱＰＳＫであり、２０％が１６−ＱＡＭであり、１０％が６４−ＱＡＭである場合、確率重みは、ＱＰＳＫのために０．７、１６−ＱＡＭのために０．２、および６４−ＱＡＭのために０．１に設定されうる。
【０１４１】
可能な変調フォーマットおよび空間スキームの組み合わせは、以下を含みうる。  
変調フォーマット    空間スキーム  
グループ  １        ＱＰＳＫ  
グループ  １        １６−ＱＡＭ  
グループ  １        ６４−ＱＡＭ  
グループ  ２        ＱＰＳＫ／ＱＰＳＫ  
グループ  ２        ＱＰＳＫ／１６−ＱＡＭ  
グループ  ２        ＱＰＳＫ／６４−ＱＡＭ  
グループ  ２        １６−ＱＡＭ／ＱＰＳＫ  
グループ  ２        １６−ＱＡＭ／１６−ＱＡＭ  
グループ  ２        １６−ＱＡＭ／６４−ＱＡＭ  
グループ  ２        ６４−ＱＡＭ／ＱＰＳＫ  
グループ  ２        ６４−ＱＡＭ／１６−ＱＡＭ  
グループ  ２        ６４−ＱＡＭ／６４−ＱＡＭ  
ここで、グループ２は、ランク２空間スキームにおける送信を含み、ランク２空間スキームでは、おのおのの送信アンテナが、２つのシンボルの混合を送信し、２つのシンボルの変調フォーマットは異なりうる。したがって、上記では、複数の変調フォーマットの組み合わせが、グループ２の組み合わせに関してリストされている。
【０１４２】
従来のシンボル・レベル干渉除去では、ＵＥが、変調フォーマットおよび空間スキームを知っており、コンステレーションの情報を、干渉除去処理ブロックに渡しうる。しかしながら、図１３および１４に関連して記載された処理では、変調フォーマットと空間スキームのうちの少なくとも１つまたは両方が知られていない場合がありうるので、例えば、ＵＥがシンボル・レベル干渉除去のために使用するために、拡張コンステレーションが生成されうる。図１５は、そのようなシンボル・レベル干渉除去を例示するフロー図を例示する。ブロック１５０２ａ乃至１５０２ｄに図示されるように、おのおのの変調フォーマットおよび空間スキームの組み合わせのコンステレーションが決定されうる。図１５は、４つのコンステレーションを示しているが、可能な変調フォーマットおよび空間スキームの組み合わせの数にしたがって、任意の数のコンステレーションが構築されうる。おのおののコンステレーションは、特定の変調フォーマットおよび空間スキームの組み合わせに関連付けられた、送信される可能性のある変調されたシンボルを示す複数のポイントを含む。
【０１４３】
ブロック１５０４に例示されるように、コンステレーションのおのおのに確率が割り当てられる。アプリオリな、または、決定された確率が割り当てられうる。例えば、１５０４では、例えば１７０８のような空間スキーム検出器および例えば１７０４のような変調フォーマット検出器のうちの少なくとも１つ、または、以前の通信履歴に基づいて確率を決定するその他のモジュール、または、予め決定された確率によって確率が決定されうる。
【０１４４】
ブロック１５０６では、コンステレーション１５０２ａ−ｄと、おのおののコンステレーションについて割り当てられた確率１５０４とを組み込んだ拡張コンステレーションが構築されうる。シンボル・レベル干渉除去ブロック１５０８は、割り当てられた確率を持つ拡張コンステレーションを採用し、これらを、受信された信号１５１０、チャネル推定値１５１２、および雑音推定値１５１４とともに用いて、シンボル・レベル干渉除去が実行される。ブロック１５０８は、軟シンボル推定値１５１６を生成して出力する。受信された干渉は、軟シンボル推定値１５１６から再構築され（１５１８）、受信された信号から除去され、干渉が低減される（１５２０）。したがって、ＵＥは、コンステレーション・ポイントのおのおのの確率を用いて、例えば、近隣セルからのＰＤＳＣＨ信号のように、ブロードキャストされた実際の干渉信号を判定することを試みる。これによって、ＵＥは、受信された信号における干渉を低減するために、受信された信号から干渉を除去できうる。
【０１４５】
１．知られていない変調フォーマット
信号の変調フォーマットが、例えば、知られていないか不確定であると判定された場合、可能な変調フォーマットのおのおのに対応する、送信される可能性のある変調されたシンボルのコンステレーションが構築され、おのおののコンステレーションに重みが割り当てられうる。おのおのの変調フォーマットについて、コンステレーションは、送信される可能性のある変調さえたシンボルのための、プロットされた複数の位置を含むだろう。
【０１４６】
可能な変調スキームのおのおのに確率が割り当てられる。例えば、確率がアプリオリに知られているのであれば、予め定義された確率が、変調フォーマットＱＰＳＫ、１６−ＱＡＭ、および６４−ＱＡＭのおのおのに割り当てられうる（例えば、おのおの１／３の確率）か、または、変調フォーマット検出器および／または通信履歴からの決定に基づいて確率が割り当てられうる。
【０１４７】
可能な変調フォーマットのおのおののコンステレーションを組み合わせることによって、（例えば、ＬＴＥにおける、変調オーダＱＰＳＫ、１６−ＱＡＭ（直交振幅変調）、および６４−ＱＡＭを含む）すべての可能な変調フォーマットからのポイントの拡張コンステレーションが構築されうる。これらの３つの変調フォーマットがリストされているが、その他のものもまた、本開示のスコープ内にあると考えられる。コンステレーション・ポイントに関連付けられた変調フォーマットの確率にしたがって、おのおののコンステレーション・ポイントに重みが割り当てられうる。
【０１４８】
例えば、シンボルのための拡張コンステレーションのすべての可能なポイントにわたる重み平均のような、受信されたシンボルに関連する軟シンボルを決定するために、拡張コンステレーションが使用されうる。軟シンボルは、例えば、受信された信号に含まれる、近隣セルからの第２のシンボルのセットに関連しうる。軟シンボルは、その後、シンボル・レベル干渉除去を実行するために使用されうる。
【０１４９】
２．知られていない空間スキーム
知られていないか不確定な空間スキームを用いた干渉除去のために、同様のアプローチが採用されうる。Ｒｅｌ−８，９および１０  ＬＴＥ／ＬＴＥアドバンストにおけるＣＲＳベースのＰＤＳＣＨ送信では、可能な空間スキームが、ＳＦＢＣ、プリコーディング行列インジケータ（ＰＭＩ）のために４つの異なる選択を持つ送信モード４（ＴＭ４）ランク１プリコーディング、ゼロ遅延サイクリック遅延ダイバーシティ（ＣＤＤ）を有するＴＭ４ランク２プリコーディング、および、大きなサイクリック遅延ダイバーシティを有するランク２プリコーディング、を含む。可能な空間スキームのおのおのについて、ポイントのコンステレーションが構築されうる。そしておのおののコンステレーションに、重みが割り当てられうる。おのおののコンステレーションは、送信される可能性のあるシンボルに対応する複数のコンステレーション・ポイントを含む。可能なすべての空間スキームのコンステレーションを組み合わせることによって、可能なすべての空間スキームのポイントの拡張コンステレーションが構築されうる。コンステレーション・ポイントに関連付けられた空間スキームの確率にしたがって、おのおののコンステレーション・ポイントに、重みが割り当てられうる。
【０１５０】
確率がアプリオリに知られていないのであれば、予め定義された確率が、空間スキームのおのおのに割り当てられうる。例えば、何も知られていないのであれば、ランク１空間スキームおよびランク２空間スキームのおのおのに１／２の確率が割り当てられうる。
【０１５１】
異なるランク１  ＰＭＩオプションのおのおのについて、異なる確率が割り当てられうる。
【０１５２】
可能な空間スキームに対応する軟シンボルを決定するために、可能なすべての空間スキームからのポイントの拡張コンステレーションが使用されうる。軟シンボルは、例えば、受信された信号に含まれる、近隣セルからの第２のシンボルのセットに関連しうる。軟シンボルは、その後、シンボル・レベル干渉除去を実行するために使用されうる。
【０１５３】
前述したように、図１４Ｃは、ＱＰＳＫ変調フォーマットのために空間スキームが知られていないか不確定である場合におけるポイントの拡張コンステレーションの例を例示する。例えば、変調フォーマットは、知られているか、または、ＱＰＳＫであると判定されることがありうる。あるいは、図１４Ｃにおけるコンステレーションは、空間スキームと変調フォーマットの組み合わせに対応する複数のコンステレーションのうちの１つでありうる。図１４Ｃにおけるコンステレーションはさらに、変調フォーマットが知られていないか不確定である場合、ＱＰＳＫ以外の可能な空間スキームおよび変調フォーマットの組み合わせのコンステレーションと組み合わせられうる。
【０１５４】
任意の特定の変調フォーマットおよび／または空間スキームの確率が非常に高い（例えば、ＳＦＢＣの９９％の可能性）のであれば、ＵＥは、高い確率の変調フォーマットまたは空間スキームが使用されているとの仮定で処理を進め、検出された変調フォーマットまたは空間スキームを用いて（すなわち、拡張コンステレーションを構築する必要なく）干渉除去の実行を継続しうる。しかしながら、互いの特有の範囲内にある優先度があるのであれば、知られていない変調フォーマットおよび／または空間スキームを用いて拡張コンステレーションが構築され、干渉除去のために使用されうる。
【０１５５】
図１３および１４の方法は、無線通信のための多くのアプリケーションにおいて使用されうる。１つの可能なアプリケーションは干渉除去である。図１６は、ブラインド推定ステップ９０４および干渉除去ステップ９０６のオプションの態様として、図１３の処理のアプリケーションを例示する。
【０１５６】
ＵＥは、９０２において、信号（例えば、組み合わされた信号８０８／８１０）を受信した後、９０４において、第２のセル信号を復号することに関連付けられたパラメータをブラインドに推定する。これは、例えば、９１０および／または９１２のように、第２のセル信号の空間スキームおよび変調スキームのうちの少なくとも１つを決定することを含みうる。図９に関して記載されているように、この推定は、受信された信号に基づいて、専らＵＥにおいてなされる。パラメータのブラインド推定は、空間スキームおよび変調フォーマットのうちの少なくとも１つが知られてないとの判定（１６０４）と、複数のコンステレーションの決定とを含みうる。コンステレーションのおのおのは、可能な空間スキームと変調フォーマットとの組み合わせに関連付けられた、送信される可能性のある複数のシンボルを備える（１６０６）。１６０８では、複数のコンステレーションのおのおののために、確率重みが決定される。図１３におけるステップ１３０４，１３０６，１３０８に関して記載された方式で、ステップ１６０４，１６０６，１６０８がなされうる。
【０１５７】
ＵＥは、ステップ９０６において、受信された信号から、第２のセル信号による干渉を除去する。ブラインドに推定されたパラメータを用いて、干渉除去が実行される。干渉除去は、例えば、第２のセル信号によるシンボルのようなシンボルを、受信された信号から除去することを含みうる（９１４）。干渉除去の一部として、ＵＥは、ステップ１６０６，１６０８において決定された複数のコンステレーションおよび対応する確率重みを用いて、シンボル・レベル干渉除去を実行しうる（１６１０）。
【０１５８】
前述したように、ＵＥは、ＰＤＳＣＨ  ＳＬＩＣを実行するために、送信モード、空間スキーム、変調フォーマット、ＲＢ割当、および、信号のＴＰＲを知る必要がある。ＵＥはさらに、ＰＤＳＣＨ  ＣＷＩＣを実行するために、ＭＣＳと冗長バージョンを知る必要がある。ＴＰＲを除くこれらパラメータのおのおのは、干渉元のＰＤＳＣＨに関連付けられた干渉元のＰＤＣＣＨ送信を復号することによって取得されうる。しかしながら、そのようなＰＤＣＣＨ復号は、困難であり、計算費用が高くなりうる。ＵＥは、本明細書に記載された干渉信号のための特定のパラメータをブラインドに推定することによって、シンボル・レベルＰＤＳＣＨ  ＩＣをより効率的な方式で実行することができる。
【０１５９】
図１７は、ＰＤＳＣＨ  ＩＣ  １７００を実行するためのフロー図の例を例示する。図１７は、順序を例示しているが、ここでは、これらステップを実行するために可能なデバイスの実際の構成以外の動作がなされうる。例えばＵＥ８０２のようなＵＥにおいて信号１７５０が受信される。この信号は、サービス提供セルからの第１のＰＤＳＣＨ信号と、近隣セルからの第２の／干渉元のＰＤＳＣＨ信号とを有する。ＰＤＳＣＨ  ＩＣについて例示されているが、このシステム／方法はまた、任意のダウンリンク共有チャネルまたは制御チャネルのためにＩＣをブラインドで実行することにも適用可能である。
【０１６０】
ブラインド送信技術検出器（ＢＴＴＤ）１７０２は、この信号を受信し、この信号の送信モードを決定しうる。これは、第２の、非サービス提供セル信号の送信モードを決定することを含みうる。ＢＴＴＤ１７０２は、干渉元のＰＤＳＣＨ送信が、ＣＲＳに基づいているか、または、ＵＥ−ＲＳに基づいているかを判定する。この情報が判定または推定されると、この判定は、さらに、干渉元の送信の変調フォーマットおよび空間スキームの推定を実行するために適用される。
【０１６１】
ブラインド変調フォーマット検出器（ＢＭＦＤ）１７０４は、干渉元の送信の変調フォーマットを決定するために使用されうる。この決定は、ＢＴＴＤ１７０２の判定に基づきうる。しかしながら、ＢＭＦＤ１７０４は、ＢＴＴＤ１７０２の判定とは乖離した変調フォーマットをブラインドに決定しうる。したがって、変調フォーマットの決定（１７０４）は、１７１６および１７２０であるコンステレーションの構築前の任意の時間において実行されうる。
【０１６２】
ＢＭＦＤ１７０４は、複数の可能な変調フォーマットのおのおののための確率１７０６を提供しうる。これらの確率１７０６は、その後、図１３−１６に関連して記載されるように、コンステレーション再構築において使用されうる。コンステレーション再構築は、ブラインド空間スキーム検出器（ＢＳＳＤ）１７０８によってなされた決定に関連するＢＭＦＤ１７０４からの決定に基づきうる。
【０１６３】
空間スキームの検出の一部として、ＢＴＴＤ１７０２が、干渉元のＰＤＳＣＨ送信が、ＣＲＳベースの送信であると判定すると、プリコードされていないチャネルに対して、最小平均平方誤差（ＭＭＳＥ）等値化１７１０が実行されうる。その後、ＭＭＳＥ等値化１７１０の結果が、ＢＳＳＤ１７０８に送られる。
【０１６４】
ＢＳＳＤ１７０８によって決定された空間スキームに基づいて、信号はさらに処理される。本明細書において記載された提案されたアプローチでは、所与の干渉元のＰＤＳＣＨ送信が、ＳＦＢＣを用いているか、ランク１送信を用いているか、またはランク２送信を用いているかを判定するために、ＢＳＳＤ１７０８が実施される。さらに、ランク１送信が検出された場合、ＰＭＩも決定される。この信号はさらに、ＢＳＳＤ１７０８によって決定された空間スキームに基づいて処理される。例えば、干渉信号が、ＳＦＢＣ空間スキームに基づいていることを、ＢＳＳＤ１７０８が高い確率で判定すると、この干渉送信について、ＳＦＢＣ結合１７１２が実行される。
【０１６５】
干渉信号が、ランク１空間スキームに基づいていると、ＢＳＳＤ１７０８が高い確率で判定すると、どのＰＭＩが用いられているのかに関する決定がなされるだろう。その後、等値化されたシンボルに対するプリコーディング１７１が、決定されたＰＭＩを用いて実行される。プリコーディング後、ランク１のコンステレーション再構築１７１６が実行される。干渉信号の変調フォーマットが知られているのであれば、ＰＤＳＣＨ干渉除去を実行するために、この変調フォーマットのコンステレーションが使用される。変調フォーマットが知られていないのであれば、知られていない変調フォーマット（例えば、ｕｎｋｎｏｗｎＭＯ）の拡張コンステレーションが使用され、ＢＭＦＤ１７０４によって提供された各ＭＯの確率が適用される。このコンステレーション再構築は、その後、近隣セルからの干渉元の送信による干渉を除去するために、受信された信号に対してＰＤＳＣＨ  ＩＣ  １７１８を実行するために使用されうる。
【０１６６】
しかしながら、干渉信号について、例えば、ＳＦＢＣもランク１空間スキームの何れも高い確率で推定されないのであれば、ＭＭＳＥ等値化１７１０の後、ランク１およびランク２のコンステレーション再構築１７２０が適用されうる。これらコンステレーションは、図１３−１６に関連して記載されるように、構築されうる。ランク１およびランク２のコンステレーション再構築１７２０は、知られているのであれば、所与の変調フォーマットとともに、あるいは、変調フォーマットが知られていないのであれば、ＢＭＦＤ１７０４によって与えられた確率と組み合わされて適用されうる。これは、所与の変調フォーマットのために知られていない空間スキームの拡張コンステレーション、または、知られていない空間スキームおよび知られていない変調フォーマットの拡張コンステレーションを用いることを含みうる。これは、知られていない変調フォーマットと知られていない空間スキームとの組み合わせのために、拡張コンステレーションを用いることを含みうる。おのおのの仮説または組み合わせの確率は、ＢＭＦＤ１７０４およびＢＳＳＤ１７０８によって提供されうる。近隣の非サービス提供セルからのＰＤＳＣＨ送信による干渉を除去するために、受信された信号に対するＰＤＳＣＨ  ＩＣ  １７１８を実行するために、拡張コンステレーション１７２０が用いられうる。
【０１６７】
ＢＳＳＤ１７０８およびＢＭＦＤ１７０４によってなされた判定は、図１７において例示されたように並列でなされうる。しかしながら、１つの検出器からの判定はまた、他の検出器による以前の判定にも基づいてなされうる。例えば、ＢＭＦＤ１７０４の判定は、ＢＳＳＤ１７０８による以前の判定に少なくとも部分的に基づいてなされうる。
【０１６８】
本明細書において記載された提案されたアプローチでは、ＢＳＳＤ１７０８は、所与の干渉元のＰＤＳＣＨ送信が、ＳＦＢＣを用いるか、ランク１送信を用いるか、またはランク２送信を用いるかを判定するために使用されうる。さらに、ランク１送信が検出された場合、使用されているＰＭＩもまた判定される。ＳＦＢＣの場合、ｅＮＢによって送信された２つのＳＦＢＣ符号化トーンのおのおのによる、２つの送信アンテナからの４つの送信シンボルのうちの２つは、同じデータ・シンボルに依存する。同様に、特定のＰＭＩを持つランク１送信の場合、ｅＮＢの２つのアンテナから送信された２つのシンボルは、同じデータ・シンボルに依存する。開示されたアプローチは、ＳＦＢＣシナリオとランク１シナリオとの両方のためのこれらのそれぞれの依存性を利用する。
【０１６９】
図１８は、典型的な装置１８０１における異なるモジュール／手段／構成要素間のデータ・フローを例示する概念的なデータ・フロー図１８００である。装置１８０１は、第１のセルおよび第２のセルからの信号１８０８（例えば、ＰＤＳＣＨまたは制御チャネル）を受信するように構成された受信モジュール１８０２を含む。例えば、第１のセルは、この装置のためのサービス提供セルでありうる。そして、第２のセルは、この装置１８０１に対する非サービス提供セルでありうる。第１のセルからの信号は、第１のシンボルのセットを備えうる。また、第２のセルからの信号は、第２のシンボルのセットを備えうる。
【０１７０】
この装置はさらに、受信モジュールの出力に接続されたブラインド復号パラメータ推定モジュール１８０４を含む。受信モジュールの出力１８１８は、第１のセルおよび第２のセルからの信号を含む、処理されていない信号を含みうる。ブラインド復号パラメータ推定モジュールは、第２のセル信号を復号することに関連付けられたパラメータをブラインドで推定するように構成される。ブラインド復号パラメータ推定モジュール１８０４はさらに、第２のセル信号の送信モードに関連付けられたパラメータをブラインドに検出するように構成されたＢＴＴＤ１８１０と、第２のセル信号のための空間スキームに関連付けられたパラメータをブラインドに検出するように構成されたＢＳＳＤ１８１２と、第２のセル信号のための変調フォーマットに関連付けられたパラメータをブラインドに検出するように構成されたＢＭＦＤ１８１４と、のうちの何れかを含みうる。
【０１７１】
ＢＳＳＤ１８１２は、第１のシンボルのセットと第２のシンボルのセットとに基づいてメトリックを決定するように構成されたＢＳＳＤメトリック決定モジュール１８２２と、決定されたメトリックをしきい値と比較するように構成されたＢＳＳＤメトリック／しきい値比較モジュール１８２４と、この比較に基づいて、少なくとも１つの信号に関連付けられた空間スキームを決定するように構成された空間スキーム決定モジュールと、を含みうる。
【０１７２】
ブラインド復号パラメータ推定モジュール１８０４はまた、コンステレーション・モジュール１８２８をも含みうる。コンステレーション・モジュールは、第２のセル信号の変調フォーマットおよび空間スキームのうちの少なくとも１つが知られていないと判定することと、その後、複数のコンステレーションを決定する、ように構成されうる。おのおののコンステレーションは、可能な空間スキームと変調フォーマットとの組み合わせに関連付けられた、送信される可能性のある複数の変調されたシンボルを備える。おのおののコンステレーションについて確率重みが決定される。そして、決定された複数のコンステレーションおよび決定されたコンステレーション確率重みは、第２のセル信号によるシンボルを除去するために、干渉除去モジュール１８０６によって使用されうる。コンステレーション・モジュールは、ＢＭＦＤ１８１４およびＢＳＳＤ１８１２のうちの少なくとも１つからの決定に基づいて、コンステレーションに確率を割り当てうる。
【０１７３】
この装置はさらに、干渉除去モジュール１８０６を含む。干渉除去モジュール１８０６は、ブラインド復号パラメータ推定モジュール１８０４の出力１８２０を受信し、受信モジュールから、処理されていない信号出力を受信する。干渉除去モジュール１８０６は、受信された信号から、第２のセル信号による干渉を除去するように構成される。干渉除去は、ブラインドに推定されたパラメータに基づく。干渉除去モジュール１８０６は、受信された信号から、シンボルを除去しうる。除去されたシンボルは、第２のセル信号からのシンボルである。干渉除去モジュールは、受信された信号１８０８が、第２のセル信号からのシンボルが除去されたことに基づいて、処理された信号１８１６を出力する。
【０１７４】
ＢＴＴＤ１８１０は、第２のセル信号がＣＲＳに基づいているか、またはＵＥ−ＲＳに基づいているかをブライドに判定しうる。この判定は、第２の信号がリソース・ブロック（ＲＢ）ベースであるかスロット・ベースであるかに少なくとも部分的に基づいてなされうる。
【０１７５】
ＢＳＳＤ１８１２は、判定された送信技術に関する情報を有するＢＴＴＤからの出力１８２２を受信しうる。ＢＳＳＤ１８１２は、ＢＴＴＤによる判定に少なくとも部分的に基づいて、第２のセル信号が、ダイバーシティ送信（例えば、ＳＦＢＣ）を送信するか、ランク１送信を送信するか、またはランク２送信を送信するかをブラインドに判定しうる。ＢＳＳＤは、第２のセル信号が、空間周波数ブロック・コーディング（ＳＦＢＣ）送信であるか、ランク１送信であるか、またはランク２送信であるかの可能性に対応する複数の確率を決定しうる。このような確率は、対応する確率を、変調フォーマットと空間スキームとの組み合わせのコンステレーションに割り当てるためにコンステレーション・モジュール１８２８によって使用されうる。第２にセル信号がランク１送信であるとＢＳＳＤが判定した場合、ＢＳＳＤはさらに、第２のセル信号のためにどのプリコーディング行列インジケータ（ＰＭＩ）が使用されているのかを判定しうる。
【０１７６】
ＢＭＦＤ１８１４は、判定された送信技術に関する情報を有するＢＴＴＤからの出力１８２２を受信しうる。ＢＭＦＤはさらに、ＢＴＴＤによってなされた判定とは乖離した変調フォーマットをブラインドに決定しうる。ＢＭＦＤ１８１４は、ＢＴＴＤによる判定に少なくとも部分的に基づいて、変調フォーマットが、ＱＰＳＫ、ＱＡＭ（例えば、１６−ＱＡＭ、６４−ＱＡＭ、２５６−ＱＡＭ）、およびＭ−ＰＳＫ（例えば、Ｍ＝３）のうちの１つであるか否かをブラインドに判定しうる。ＢＭＦＤは、ＢＳＳＤと同様に、第２のセル信号が特定の変調フォーマットを有する可能性に対応する複数の確率を決定しうる。これらの確率はまた、対応する確率を、変調フォーマットと空間スキームとの組み合わせのためのコンステレーションに割り当てるために、コンステレーション・モジュール１８２８によっても使用されうる。
【０１７７】
ＢＴＴＤ、ＢＳＳＤ、ＢＭＦＤ、および／または、コンステレーション・モジュールの決定に基づくパラメータは、干渉除去モジュール１８０６に出力される。干渉除去モジュールは、受信された信号から、第２のセル信号による干渉を除去するために、ブラインド復号パラメータ推定モジュール１８０４によって出力されたパラメータを使用する。除去された干渉を有する処理された信号が、その後、干渉除去モジュールから出力される。
【０１７８】
第２のセル信号の送信技術の判定は、第２のセル信号の変調フォーマットおよび空間スキームの決定前になされうる。そして、第２のセル信号の変調フォーマットおよび空間スキームの決定は、第２のセル信号の送信技術の判定に少なくとも部分的に基づいてなされうる。
【０１７９】
第２のセル信号の空間スキームの決定と、第２のセル信号の変調フォーマットの決定とは、並行して実行されうるか、または、１つの決定が、他の決定の後に実行されうる。
【０１８０】
ＢＴＴＤ１８１０は、複数の送信技術（例えば、ＣＲＳ、ＵＥ−ＲＳ）に関連付けられた重み付けられた確率を提供しうる。そして、干渉除去モジュール１８０６は、複数の送信技術に関連付けられた、重み付けられた確率に基づいて、受信された信号から、第２の信号による干渉を除去しうる。
【０１８１】
この装置は、前述したフロー・チャート図９−１３，１５−１７におけるアルゴリズムのステップのおのおのを実行する追加のモジュールを含みうる。このため、前述したフロー・チャート図９−１３および１５−１７のおのおののステップは、モジュールによって実行され、装置は、これらのモジュールのうちの１または複数を含みうる。これらモジュールは、前述した処理／アルゴリズムを実行するように特別に構成された１または複数のハードウェア構成要素であるか、前述した処理／アルゴリズムを実行するように構成されたプロセッサによって実行されうるか、プロセッサによる実施のためにコンピュータ読取可能な媒体内に格納されうるか、またはこれらのいくつかの組み合わせでありうる。
【０１８２】
図１９は、典型的な装置１９０１における異なるモジュール／手段／構成要素間のデータ・フローを例示する概念的なデータ・フロー図１９００である。装置１９０１は、未処理でありうる第１および第２のシンボルのセットでありうる少なくとも１つの信号１９９２を受信したモジュール１９０２から受信した第１および第２のセットのシンボルに基づいて、ＢＳＳＤメトリック１９０４ａの決定を信号に提供するモジュール１９０４を含む。モジュール１９０４は、ＢＳＳＤメトリック１９０４ａをモジュール１９０６へ提供する。このモジュールは、結果のセット１９０６ａを生成するために、メトリックをしきい値と比較する。この結果のセット１９０６ａは、前述したように、距離または相関判定を含みうる。その後、この結果のセット１９０６ａは、モジュール１９０６に接続されたモジュール１９０８へ通信される。モジュール１９０８は、この比較に基づいて、少なくとも１つの信号に関連付けられた空間スキームを決定する。この判定は、空間スキームが使用されている可能性に対応する複数の確率を含みうる。決定された空間スキームに基づいて干渉除去を実行するモジュール１９１０は、モジュール１９０８から、空間スキームの決定を受信する。モジュール１９１０からは、低減された干渉出力１９９４が出力される。本明細書に開示された干渉除去アプローチの１つの態様では、干渉除去モジュール１９１０が、装置１９０１の外部の別の部分に含まれうるので、装置１９０１からの出力は、空間スキーム決定となるであろう。前述したように、空間スキーム決定は、空間スキーム決定の、１または複数の確率を含みうる。
【０１８３】
この装置は、図１２および１３における前述したフロー・チャートにおけるアルゴリズムのステップのおのおのを実行する追加のモジュールを含みうる。このため、図１２および１３において前述したフロー・チャートのおのおののステップは、モジュールによって実行され、装置は、これらのモジュールのうちの１または複数を含みうる。これらモジュールは、前述した処理／アルゴリズムを実行するように特別に構成された１または複数のハードウェア構成要素であるか、前述した処理／アルゴリズムを実行するように構成されたプロセッサによって実行されうるか、プロセッサによる実施のためにコンピュータ読取可能な媒体内に格納されうるか、またはこれらのいくつかの組み合わせでありうる。
【０１８４】
図２０は、典型的な装置２００１における異なるモジュール／手段／構成要素間のデータ・フローを例示する概念的なデータ・フロー図２０００である。装置２００１は、信号２０９２を受信するモジュール２００２を含んでいる。この信号は、例えば第１のセル信号および第２のセル信号を備えうる。受信モジュール２００２は、信号を、知られていない空間スキームおよび／または変調判定モジュール２００４へ提供する。このモジュール２００４は、空間スキームおよび変調フォーマットのうちの少なくとも１つが知られていないと判定し、これを、提供された信号２００４で、コンステレーション決定モジュール２００６に示す。コンステレーション決定モジュールは、複数のコンステレーションを決定する。おのおののコンステレーションは、可能な空間スキームおよび変調フォーマットの組み合わせに関連付けられた、送信される可能性のある複数の変調されたシンボルを備える。知られていない変調フォーマットおよび空間スキームの可能な多くの組み合わせに基づいて、任意の数のコンステレーションが決定されうる。おのおののコンステレーションは、送信される可能性のあるシンボルに対応する複数のポイントを含む。決定されたコンステレーション２００６ａは、おのおののコンステレーションの確率重みを決定する、コンステレーション確率重み決定モジュールへ提供される。拡張コンステレーションは、決定されたコンステレーションおよびそれらの対応する確率重みのおのおのを組み合わせることにより生成されうる。
【０１８５】
その後、決定されたコンステレーションおよびそれらの対応する確率重み２００８ａは、決定された複数のコンステレーションと、おのおののコンステレーションについて決定された確率重みとを用いて、空間スキームおよび変調フォーマットのうちの少なくとも１つを決定するために使用される。例えば、干渉除去モジュール２０１０は、決定されたコンステレーションおよびそれらの対応する確率重み２００８ａに基づいてシンボル・レベル干渉除去を実行する。これによって、組み合わされた信号から、第２のセル信号からのシンボルが除去される。その後、低減された干渉を有する信号２０９４が出力される。
【０１８６】
この装置は、図１３，１５，１６において前述したフロー・チャートにおけるアルゴリズムのステップのおのおのを実行する追加のモジュールを含みうる。このため、図１３，１５，１６において前述したフロー・チャート図９のおのおののステップは、モジュールによって実行され、装置は、これらのモジュールのうちの１または複数を含みうる。これらモジュールは、前述した処理／アルゴリズムを実行するように特別に構成された１または複数のハードウェア構成要素であるか、前述した処理／アルゴリズムを実行するように構成されたプロセッサによって実行されうるか、プロセッサによる実施のためにコンピュータ読取可能な媒体内に格納されうるか、またはこれらのいくつかの組み合わせでありうる。
【０１８７】
図２１は、処理システム２１１４を適用する装置１８０１のためのハードウェア実装の例を例示する図解である。可能なサブ構成要素が、実線ではなく破線を用いて例示されている。処理システム２１１４は、一般にバス２１２４によって表されるバス・アーキテクチャを用いて実現されうる。バス２１２４は、全体的な設計制約および処理システム２１１４の特定のアプリケーションに依存して、任意の数の相互接続バスおよびブリッジを含みうる。バス２１２４は、プロセッサ２１０４によって表される１または複数のプロセッサおよび／またはハードウェア・モジュール、モジュール１８０２，１８０４，１８０６，１８１０，１８１２，１８１４，１８２２，１８２４，１８２６，１８２８およびコンピュータ読取可能な媒体２１０６を含むさまざまな回路をともに接続する。バス２１２４はさらに、例えば、タイミング・ソース、周辺機器、電圧制御装置、および電力管理回路のようなその他さまざまな回路をリンクしうる。これらは、当該技術分野で良く知られているので、さらなる説明はしない。
【０１８８】
この装置は、トランシーバ２１１０に接続された処理システム２１１４を含む。トランシーバ２１１０は、１または複数のアンテナ２１２０に接続されうる。トランシーバ２１１０は、送信媒体を介してその他さまざまな装置と通信するための手段を提供する。処理システム２１１４は、コンピュータ読取可能な媒体２１０６に接続されたプロセッサ２１０４を含む。プロセッサ２１０４は、コンピュータ読取可能な媒体２１０６に格納されたソフトウェアの実行を含む一般的な処理を担当する。ソフトウェアは、プロセッサ２１０４によって実行された場合、処理システム２１１４に対して、任意の特定の装置のために記載されたさまざまな機能を実行させる。コンピュータ読取可能な媒体２１０６はまた、ソフトウェアが実行されている場合に、プロセッサ２１０４によって操作されるデータを格納するためにも使用されうる。処理システムはさらに、モジュール１８０２，１８０４，１８０６，１８１０，１８１２，１８１４，１８２２，１８２４，１８２６，１８２８を含んでいる。これらモジュールは、プロセッサ２１０４で動作するソフトウェア・モジュールでありうるか、コンピュータ読取可能な媒体２１０６に常駐／格納されうるか、プロセッサ２１０４に接続された１または複数のハードウェア・モジュールでありうるか、これらのある組み合わせでありうる。処理システム２１１４は、ＵＥ６５０の構成要素でありうる。そして、メモリ６６０と、および／または、ＴＸプロセッサ６６８、ＲＸプロセッサ６５６、およびコントローラ／プロセッサ６５９のうちの少なくとも１つとを含みうる。
【０１８９】
図２２は、処理システム２２１４を適用する装置１９０１のためのハードウェア実装の例を例示する図解である。処理システム２２１４は、一般にバス２２２４によって表されるバス・アーキテクチャを用いて実現されうる。バス２２２４は、全体的な設計制約および処理システム２２１４の特定のアプリケーションに依存して、任意の数の相互接続バスおよびブリッジを含みうる。バス２２２４は、プロセッサ２２０４によって表される１または複数のプロセッサおよび／またはハードウェア・モジュール、モジュール１９０２，１９０４，１９０６，１９０８，１９１０およびコンピュータ読取可能な媒体２２０６を含むさまざまな回路をともに接続する。バス２２２４はさらに、例えば、タイミング・ソース、周辺機器、電圧制御装置、および電力管理回路のようなその他さまざまな回路をリンクしうる。これらは、当該技術分野で良く知られているので、さらなる説明はしない。
【０１９０】
この装置は、トランシーバ２２１０に接続された処理システム２２１４を含む。トランシーバ２２１０は、１または複数のアンテナ２２２０に接続されうる。トランシーバ２２１０は、送信媒体を介してその他さまざまな装置と通信するための手段を提供する。処理システム２２１４は、コンピュータ読取可能な媒体２２０６に接続されたプロセッサ２２０４を含む。プロセッサ２２０４は、コンピュータ読取可能な媒体２２０６に格納されたソフトウェアの実行を含む一般的な処理を担当する。ソフトウェアは、プロセッサ２２０４によって実行された場合、処理システム２２１４に対して、任意の特定の装置のために記載されたさまざまな機能を実行させる。コンピュータ読取可能な媒体２２０６はまた、ソフトウェアが実行されている場合に、プロセッサ２２０４によって操作されるデータを格納するためにも使用されうる。処理システムはさらに、モジュール１９０２，１９０４，１９０６，１９０８，１９１０を含む。これらモジュールは、プロセッサ２２０４で動作するソフトウェア・モジュールでありうるか、コンピュータ読取可能な媒体２２０６に常駐／格納されうるか、プロセッサ２２０４に接続された１または複数のハードウェア・モジュールでありうるか、これらのある組み合わせでありうる。処理システム２２１４は、ＵＥ６５０の構成要素でありうる。そして、メモリ６６０と、および／または、ＴＸプロセッサ６６８、ＲＸプロセッサ６５６、およびコントローラ／プロセッサ６５９のうちの少なくとも１つとを含みうる。
【０１９１】
図２３は、処理システム２３１４を適用する装置２００１のためのハードウェア実装の例を例示する図解である。処理システム２３１４は、一般にバス２３２４によって表されるバス・アーキテクチャを用いて実現されうる。バス２３２４は、全体的な設計制約および処理システム２３１４の特定のアプリケーションに依存して、任意の数の相互接続バスおよびブリッジを含みうる。バス２３２４は、プロセッサ２３０４によって表される１または複数のプロセッサおよび／またはハードウェア・モジュール、モジュール２００２，２００４，２００６，２００８，２０１０およびコンピュータ読取可能な媒体２３０６を含むさまざまな回路をともに接続する。バス２３２４はさらに、例えば、タイミング・ソース、周辺機器、電圧制御装置、および電力管理回路のようなその他さまざまな回路をリンクしうる。これらは、当該技術分野で良く知られているので、さらなる説明はしない。
【０１９２】
この装置は、トランシーバ２３１０に接続された処理システム２３１４を含む。トランシーバ２３１０は、１または複数のアンテナ２３２０に接続されうる。トランシーバ２３１０は、送信媒体を介してその他さまざまな装置と通信するための手段を提供する。処理システム２３１４は、コンピュータ読取可能な媒体２３０６に接続されたプロセッサ２３０４を含む。プロセッサ２３０４は、コンピュータ読取可能な媒体２３０６に格納されたソフトウェアの実行を含む一般的な処理を担当する。ソフトウェアは、プロセッサ２３０４によって実行された場合、処理システム２３１４に対して、任意の特定の装置のために記載されたさまざまな機能を実行させる。コンピュータ読取可能な媒体２３０６はまた、ソフトウェアが実行されている場合に、プロセッサ２３０４によって操作されるデータを格納するためにも使用されうる。処理システムはさらに、モジュール２００２，２００４，２００６，２００８，２０１０を含む。これらモジュールは、プロセッサ２３０４で動作するソフトウェア・モジュールでありうるか、コンピュータ読取可能な媒体２３０６に常駐／格納されうるか、プロセッサ２３０４に接続された１または複数のハードウェア・モジュールでありうるか、これらのある組み合わせでありうる。処理システム２３１４は、ＵＥ６５０の構成要素でありうる。そして、メモリ６６０と、および／または、ＴＸプロセッサ６６８、ＲＸプロセッサ６５６、およびコントローラ／プロセッサ６５９のうちの少なくとも１つとを含みうる。
【０１９３】
開示された処理のステップの具体的な順序または階層は、典型的なアプローチの例示であることが理解される。設計選択に基づいて、これら処理におけるステップの具体的な順序または階層は、再構成されうることが理解される。さらに、いくつかのステップは、結合または省略されうる。同伴する方法請求項は、さまざまなステップの要素を、サンプル順で示しており、示された具体的な順序または階層に限定されないことが意味される。
【０１９４】
前述の記載は、いかなる当業者であっても、ここで開示されたさまざまな態様を実現できるように提供される。これらの態様に対するさまざまな変形例は、当業者に容易に明らかになり、本明細書に定義された一般的な原理は、他の態様にも適用可能である。したがって、特許請求の範囲は、本明細書に示された態様に限定されず、請求項の文言と首尾一貫したすべての範囲が与えられることが意図されており、ここで、単数形による要素への参照は、もしも明確に述べられていないのであれば、「１および１のみ」を意味するのではなく、「１または複数」を意味することが意図されている。特に明記されていない限り、用語「いくつか」は、１または複数を称する。当業者に周知であるか、または、後に周知になるべき本開示を通じて記載されたさまざまな態様の要素に対するすべての構造的および機能的な等価物が、参照によって本明細書に明確に組み込まれており、請求項に含められていると意図される。さらに、本明細書で開示されたいずれも、このような開示が請求項において明示的に述べられているかに関わらず、公衆に対して放棄されたものとは意図されていない。請求項の要素が、「〜する手段」という文言を用いて明示的に示されていないのであれば、請求項の何れの要素も、ミーンズ・プラス・ファンクション（ｍｅａｎｓ  ｐｌｕｓ  ｆｕｎｃｔｉｏｎ）として解釈されるべきではない。
以下に、出願当初の特許請求の範囲に記載された発明を付記する。
［Ｃ１］
ユーザ機器（ＵＥ）における無線通信の方法であって、
信号を受信することと、ここで、前記受信された信号は、第１のセル信号および第２のセル信号を備える、
前記第２のセル信号を復号することに関連付けられたパラメータをブラインドに推定することと、ここで、前記ブラインドに推定することは、前記第２のセル信号の空間スキームおよび変調フォーマットのうちの少なくとも１つに関連付けられたパラメータを検出することを含む、
前記受信された信号から、前記第２のセル信号による干渉を除去することと、ここで、前記干渉を除去することは、前記ブラインドに推定されたパラメータに基づく、を備える方法。
［Ｃ２］
前記受信された信号は、前記第２のセルからの制御チャネルおよびダウンリンク共有チャネルのうちの少なくとも１つを備える、Ｃ１に記載の方法。
［Ｃ３］
前記干渉を除去することは、前記受信された信号からシンボルを除去することを備え、
前記除去されたシンボルは、前記第２のセル信号からのシンボルである、Ｃ２に記載の方法。
［Ｃ４］
前記第１のセル信号は、サービス提供セルから発信され、前記第２のセル信号は、非サービス提供セルから発信される、Ｃ３に記載の方法。
［Ｃ５］
前記第２のセル信号に関連付けられたパラメータをブラインドに推定することは、前記第２のセル信号の送信技術を決定することを備える、Ｃ１に記載の方法。
［Ｃ６］
前記第２のセル信号の送信技術を決定することは、前記第２のセル信号が、セル特有の基準信号（ＣＲＳ）に基づいているか、またはＵＥ特有の基準信号（ＵＥ−ＲＳ）に基づいているかを判定することを備える、Ｃ５に記載の方法。
［Ｃ７］
前記第２のセル信号の送信技術を決定することは、前記第２のセル信号が、リソース・ブロック（ＲＢ）ベースであるか、またはスロット・ベースであるかに少なくとも部分的に基づく、Ｃ５に記載の方法。
［Ｃ８］
前記第２のセル信号に関連付けられたパラメータをブラインドに推定することはさらに、前記第２のセル信号の空間スキームを決定することを備える、Ｃ５に記載の方法。
［Ｃ９］
前記第２のセル信号の空間スキームを決定することは、前記第２のセル信号が、送信ダイバーシティ送信を用いているか、ランク１送信を用いているか、またはランク２送信を用いているかを判定することを備える、Ｃ８に記載の方法。
［Ｃ１０］
前記第２のセル信号の空間スキームを決定することは、前記第２のセル信号が、空間周波数ブロック・コーディング（ＳＦＢＣ）送信を用いているか否かを判定することを備える、Ｃ９に記載の方法。
［Ｃ１１］
前記第２のセル信号がランク１送信を用いていると判定された場合、前記第２のセル信号のために、どのプリコーディング行列インジケータ（ＰＭＩ）が用いられるかを決定すること、をさらに備えるＣ９に記載の方法。
［Ｃ１２］
前記第２のセル信号の空間スキームを決定することは、前記第２のセル信号が、空間周波数ブロック・コーディング（ＳＦＢＣ）送信であるか、ランク１送信であるか、またはランク２送信である可能性に対応する複数の確率を決定することを備える、Ｃ８に記載の方法。
［Ｃ１３］
前記第２のセル信号に関連付けられたパラメータをブラインドに推定することはさらに、前記第２のセル信号の変調フォーマットを決定することを備える、Ｃ８に記載の方法。
［Ｃ１４］
前記第２のセル信号の送信技術を決定することは、前記第２のセル信号の変調フォーマットおよび空間スキームを決定することの前に実行され、
前記第２のセル信号の変調フォーマットおよび空間スキームを決定することは、前記第２のセル信号の送信技術を決定することに少なくとも部分的に基づいて実行される、Ｃ１３に記載の方法。
［Ｃ１５］
前記第２のセル信号の変調フォーマットを決定することは、前記第２のセル信号の変調フォーマットが、許可された変調フォーマットのうちの１つである可能性に対応する複数の確率を決定することを備え、
前記許可された変調フォーマットは、バイナリ・フェーズ・シフト・キーイング（ＢＰＳＫ）、直交フェーズ・シフト・キーイング（ＱＰＳＫ）、異なる変調オーダの直交振幅変調（ＱＡＭ）、および、異なる変調オーダのフェーズ・シフト・キーイング（ＰＳＫ）を含む、Ｃ１３に記載の方法。
［Ｃ１６］
前記第２のセル信号の変調フォーマットを決定することは、前記変調フォーマットが、直交フェーズ・シフト・キーイング（ＱＰＳＫ）、ある変調オーダの直交振幅変調（ＱＡＭ）、および、ある変調オーダのフェーズ・シフト・キーイング（ＰＳＫ）のうちの１つであるか否かを判定することを備える、Ｃ１３に記載の方法。
［Ｃ１７］
前記第２のセル信号の空間スキームを決定することと、前記第２のセル信号の変調フォーマットを決定することとは、並行して実行される、Ｃ１６に記載の方法。
［Ｃ１８］
前記第２のセル信号の空間スキームを決定することは、前記第２のセル信号の変調フォーマットを決定することの前に実行される、Ｃ１６に記載の方法。
［Ｃ１９］
前記送信技術を決定することは、複数の送信技術に関連付けられた、重み付けられた確率を与え、
前記方法はさらに、前記複数の送信技術に関連付けられた、重み付けられた確率に基づいて、前記受信された信号から、前記第２のセル信号による干渉を除去することを備える、Ｃ１６に記載の方法。
［Ｃ２０］
前記複数の送信技術は、少なくともＣＲＳおよびＵＥ−ＲＳを備える、Ｃ１９に記載の方法。
［Ｃ２１］
前記信号は、第１のシンボルのセットおよび第２のシンボルのセットを備え、
前記第２のセル信号を復号することに関連付けられたパラメータをブラインドに推定することはさらに、
前記第１のシンボルのセットおよび前記第２のシンボルのセットに基づいてメトリックを決定することと、
前記メトリックをしきい値と比較することと、
前記比較に基づいて、前記第２のセル信号に関連付けられた空間スキームを決定することとを備える、Ｃ１に記載の方法。
［Ｃ２２］
前記第２のセル信号を復号することに関連付けられたパラメータをブラインドに推定することはさらに、
空間スキームおよび変調フォーマットのうちの少なくとも１つが知られていないと判定することと、
複数のコンステレーションを決定することと、ここで、おのおののコンステレーションは、可能な空間スキームと変調フォーマットとの組み合わせに関連付けられた、送信される可能性のある複数の変調されたシンボルを備える、
おのおののコンステレーションの確率重みを決定することと、を備え、
前記受信された信号から、前記第２のセル信号による干渉を除去することは、前記決定された複数のコンステレーションと前記決定されたコンステレーションの確率重みとを用いて、シンボル・レベル干渉除去を実行することを備える、Ｃ１に記載の方法。
［Ｃ２３］
無線通信のための装置であって、
信号を受信する手段と、ここで、前記受信された信号は、第１のセル信号および第２のセル信号を備える、
前記第２のセル信号を復号することに関連付けられたパラメータをブラインドに推定する手段と、
前記受信された信号から、前記第２のセル信号による干渉を除去する手段と、ここで、前記干渉を除去することは、前記ブラインドに推定されたパラメータに基づく、を備える装置。
［Ｃ２４］
前記パラメータをブラインドに推定する手段は、前記第２のセル信号の空間スキーム、変調フォーマット、および送信モードのうちの少なくとも１つに関連付けられたパラメータを検出する手段を備える、Ｃ２３に記載の装置。
［Ｃ２５］
前記第１のセル信号は、サービス提供セルから発信され、前記第２のセル信号は、非サービス提供セルから発信され、
前記受信された信号は、前記第２のセルからの制御チャネルおよびダウンリンク共有チャネルのうちの少なくとも１つを備え、
前記干渉を除去する手段は、前記受信された信号から、前記第２のセル信号によるシンボルを除去する、Ｃ２４に記載の装置。
［Ｃ２６］
前記第２のセル信号に関連付けられたパラメータをブラインドに推定する手段は、前記第２のセル信号の送信技術を決定する、Ｃ２４に記載の装置。
［Ｃ２７］
前記第２のセル信号の送信技術を決定する手段は、前記第２のセル信号が、セル特有の基準信号（ＣＲＳ）に基づいているか、またはＵＥ特有の基準信号（ＵＥ−ＲＳ）に基づいているかを判定する、Ｃ２６に記載の装置。
［Ｃ２８］
前記第２のセル信号に関連付けられたパラメータをブラインドに推定する手段は、前記第２のセル信号の空間スキームを決定する、Ｃ２６に記載の装置。
［Ｃ２９］
前記第２のセル信号の空間スキームを決定する手段は、前記第２のセル信号が、送信ダイバーシティ送信を用いているか、ランク１送信を用いているか、またはランク２送信を用いているかを判定し、
前記第２のセル信号の空間スキームを決定する手段は、前記第２のセル信号がランク１送信を用いていると判定された場合、前記第２のセル信号のために、どのプリコーディング行列インジケータ（ＰＭＩ）が用いられるかを決定する、Ｃ２８に記載の装置。
［Ｃ３０］
前記第２のセル信号の空間スキームを決定する手段は、前記第２のセル信号が、空間周波数ブロック・コーディング（ＳＦＢＣ）送信であるか、ランク１送信であるか、またはランク２送信である可能性に対応する複数の確率を決定する、Ｃ２８に記載の装置。
［Ｃ３１］
前記第２のセル信号に関連付けられたパラメータをブラインドに推定する手段は、前記第２のセル信号の変調フォーマットを決定する、Ｃ２８に記載の装置。
［Ｃ３２］
前記第２のセル信号の変調フォーマットを決定する手段は、前記変調フォーマットが、直交フェーズ・シフト・キーイング（ＱＰＳＫ）、ある変調オーダの直交振幅変調（ＱＡＭ）、および、ある変調オーダのフェーズ・シフト・キーイング（ＰＳＫ）のうちの１つであるか否かを判定する、Ｃ３１に記載の装置。
［Ｃ３３］
前記第２のセル信号の変調フォーマットを決定する手段は、前記第２のセル信号の変調フォーマットが、直交フェーズ・シフト・キーイング（ＱＰＳＫ）、ある変調オーダの直交振幅変調（ＱＡＭ）、および、ある変調オーダのフェーズ・シフト・キーイング（ＰＳＫ）のうちの１つであるか否かを判定する、Ｃ３１に記載の装置。
［Ｃ３４］
前記第２のセル信号の送信技術を決定することは、前記第２のセル信号の変調フォーマットおよび空間スキームを決定することの前に実行され、
前記第２のセル信号の変調フォーマットおよび空間スキームを決定することは、前記第２のセル信号の送信技術を決定することに少なくとも部分的に基づいて実行される、Ｃ３１に記載の装置。
［Ｃ３５］
前記送信技術を決定することは、複数の送信技術に関連付けられた、重み付けられた確率を与え、
前記干渉を除去する手段は、前記複数の送信技術に関連付けられた、重み付けられた確率に基づいて、前記受信された信号から、前記第２のセル信号による干渉を除去する、Ｃ３１に記載の装置。
［Ｃ３６］
前記信号は、第１のシンボルのセットおよび第２のシンボルのセットを備え、
前記第２のセル信号を復号することに関連付けられたパラメータをブラインドに推定する手段は、
前記第１のシンボルのセットおよび前記第２のシンボルのセットに基づいてメトリックを決定し、
前記メトリックをしきい値と比較し、
前記比較に基づいて、前記第２のセル信号に関連付けられた空間スキームを決定する、Ｃ２３に記載の装置。
［Ｃ３７］
前記第２のセル信号を復号することに関連付けられたパラメータをブラインドに推定する手段は、
空間スキームおよび変調フォーマットのうちの少なくとも１つが知られていないと判定し、
複数のコンステレーションを決定し、ここで、おのおののコンステレーションは、可能な空間スキームと変調フォーマットとの組み合わせに関連付けられた、送信される可能性のある複数の変調されたシンボルを備える、
おのおののコンステレーションの確率重みを決定する、ここで、前記受信された信号から、前記第２のセル信号による干渉を除去する手段は、前記決定された複数のコンステレーションと前記決定されたコンステレーションの確率重みとを用いて、シンボル・レベル干渉除去を実行する、Ｃ２３に記載の装置。
［Ｃ３８］
コンピュータ・プログラム製品であって、
信号を受信することと、ここで、前記受信された信号は、第１のセル信号および第２のセル信号を備える、
前記第２のセル信号を復号することに関連付けられたパラメータをブラインドに推定することと、
前記受信された信号から、前記第２のセル信号による干渉を除去することと、ここで、前記干渉を除去することは、前記ブラインドに推定されたパラメータに基づく、のためのコード、を備えるコンピュータ読取可能な媒体を備えるコンピュータ・プログラム製品。
［Ｃ３９］
無線通信のための装置であって、
信号を受信することと、ここで、前記受信された信号は、第１のセル信号および第２のセル信号を備える、
前記第２のセル信号を復号することに関連付けられたパラメータをブラインドに推定することと、
前記受信された信号から、前記第２のセル信号による干渉を除去することと、ここで、前記干渉を除去することは、前記ブラインドに推定されたパラメータに基づく、を実行するように構成された処理システム、を備える装置。
［Ｃ４０］
無線通信の方法であって、
第１のシンボルのセットおよび第２のシンボルのセットを備える少なくとも１つの信号を受信することと、
前記第１のシンボルのセットおよび前記第２のシンボルのセットに基づいてメトリックを決定することと、
前記メトリックをしきい値と比較することと、
前記比較に基づいて、前記少なくとも１つの信号に関連付けられた空間スキームを決定することと、を備える方法。
［Ｃ４１］
前記決定された空間スキームに基づいて、シンボルを検出すること、または、データ・ストリームを復号することのうちの少なくとも１つを実行すること、をさらに備えるＣ４０に記載の方法。
［Ｃ４２］
前記検出されたシンボルまたは前記復号されたデータ・ストリームのうちの少なくとも１つを用いて干渉除去を実行すること、をさらに備えるＣ４１に記載の方法。
［Ｃ４３］
前記第１のシンボルのセットに基づいて第１のベクトルを、前記第２のシンボルのセットに基づいて第２のベクトルを生成すること、をさらに備えるＣ４０に記載の方法。
［Ｃ４４］
前記第１のベクトルおよび前記第２のベクトルは、最小信号対雑音比値よりも高い信号対雑音比値を有するシンボルを備える、Ｃ４３に記載の方法。
［Ｃ４５］
前記メトリックを決定することは、前記第１のベクトルと前記第２ベクトルとの間の距離を計算することを備える、Ｃ４３に記載の方法。
［Ｃ４６］
前記メトリックを決定することは、前記第１のベクトルと前記第２のベクトルとの間の相関を計算することを備える、Ｃ４３に記載の方法。
［Ｃ４７］
前記メトリックを決定することは、前記第１のベクトルと前記第２のベクトルとが同じである可能性を計算することを備える、Ｃ４３に記載の方法。
［Ｃ４８］
前記第１のベクトルおよび前記第２ベクトルを生成することは、前記第１のシンボルのセットおよび前記第２のシンボルのセットの等化器出力を処理することを備える、Ｃ４３に記載の方法。
［Ｃ４９］
前記等化器出力を処理することは、複素平面において、前記第１のシンボルのセットまたは前記第２のシンボルのセットのうちの少なくとも１つを後方回転させることを備える、Ｃ４８に記載の方法。
［Ｃ５０］
前記後方回転させることは、検出される可能性のある空間スキームのセットからの、少なくとも１つの空間スキームの構造に基づいて実行される、Ｃ４９に記載の方法。
［Ｃ５１］
前記等化器出力を処理することは、前記等化器出力を、等値化された信号対雑音比値に基づいてスケールすることを備える、Ｃ４８に記載の方法。
［Ｃ５２］
無線通信のための装置であって、
第１のシンボルのセットおよび第２のシンボルのセットを備える少なくとも１つの信号を受信する手段と、
前記第１のシンボルのセットおよび前記第２のシンボルのセットに基づいてメトリックを決定する手段と、
前記メトリックをしきい値と比較する手段と、
前記比較に基づいて、前記少なくとも１つの信号に関連付けられた空間スキームを決定する手段と、を備える装置。
［Ｃ５３］
前記決定された空間スキームに基づいて、シンボルを検出すること、または、データ・ストリームを復号することのうちの少なくとも１つを実行する手段、をさらに備えるＣ５２に記載の方法。
［Ｃ５４］
前記検出されたシンボルまたは前記復号されたデータ・ストリームのうちの少なくとも１つを用いて干渉除去を実行する手段、をさらに備えるＣ５３に記載の装置。
［Ｃ５５］
前記第１のシンボルのセットに基づいて第１のベクトルを、前記第２のシンボルのセットに基づいて第２のベクトルを生成する手段、をさらに備えるＣ５２に記載の装置。
［Ｃ５６］
前記第１のベクトルおよび前記第２のベクトルは、最小信号対雑音比値よりも高い信号対雑音比値を有するシンボルを備える、Ｃ５５に記載の装置。
［Ｃ５７］
前記メトリックを決定する手段は、前記第１のベクトルと前記第２ベクトルとの間の距離を計算する、Ｃ５５に記載の装置。
［Ｃ５８］
前記メトリックを決定する手段は、前記第１のベクトルと前記第２のベクトルとの間の相関を計算する、Ｃ５５に記載の装置。
［Ｃ５９］
前記メトリックを決定する手段は、前記第１のベクトルと前記第２のベクトルとが同じである可能性を計算する、Ｃ５５に記載の装置。
［Ｃ６０］
前記第１のベクトルおよび前記第２ベクトルを生成する手段は、前記第１のシンボルのセットおよび前記第２のシンボルのセットの等化器出力を処理する手段を備える、Ｃ５５に記載の装置。
［Ｃ６１］
前記等化器出力を処理する手段は、複素平面において、前記第１のシンボルのセットまたは前記第２のシンボルのセットのうちの少なくとも１つを後方回転させる、Ｃ６０に記載の装置。
［Ｃ６２］
前記後方回転は、検出される可能性のある空間スキームのセットからの、少なくとも１つの空間スキームの構造に基づいて実行される、Ｃ６１に記載の装置。
［Ｃ６３］
前記等化器出力を処理する手段は、前記等化器出力を、等値化された信号対雑音比値に基づいてスケールする、Ｃ６０に記載の装置。
［Ｃ６４］
コンピュータ・プログラム製品であって、
第１のシンボルのセットおよび第２のシンボルのセットを備える少なくとも１つの信号を受信することと、
前記第１のシンボルのセットおよび前記第２のシンボルのセットに基づいてメトリックを決定することと、
前記メトリックをしきい値と比較することと、
前記比較に基づいて、前記少なくとも１つの信号に関連付けられた空間スキームを決定することとのためのコード、を備えるコンピュータ読取可能な媒体を備えるコンピュータ・プログラム製品。
［Ｃ６５］
無線通信の装置であって、
第１のシンボルのセットおよび第２のシンボルのセットを備える少なくとも１つの信号を受信することと、
前記第１のシンボルのセットおよび前記第２のシンボルのセットに基づいてメトリックを決定することと、
前記メトリックをしきい値と比較することと、
前記比較に基づいて、前記少なくとも１つの信号に関連付けられた空間スキームを決定することとを実行するように構成された処理システム、を備える装置。
［Ｃ６６］
無線通信の方法であって、
信号を受信することと、
前記信号の空間スキームおよび変調フォーマットのうちの少なくとも１つが知られていないことを判定することと、
複数のコンステレーションを決定することと、ここで、おのおののコンステレーションは、可能な空間スキームと変調フォーマットとの組み合わせに関連付けられた、送信される可能性のある複数の変調されたシンボルを備える、
おのおののコンステレーションの確率重みを決定することと、を備える方法。
［Ｃ６７］
前記決定された複数のコンステレーションと前記決定されたおのおののコンステレーションの確率重みとを用いて、シンボル・レベル干渉除去を実行すること、をさらに備えるＣ６６に記載の方法。
［Ｃ６８］
前記複数のコンステレーションにおいて、送信される可能性のある変調されたシンボルのおのおののシンボル確率重みを決定することをさらに備え、
前記シンボル・レベル干渉除去は、前記決定されたシンボル確率重みを用いて実行される、Ｃ６７に記載の方法。
［Ｃ６９］
おのおののコンステレーションの確率重みは、割り当てられた値に少なくとも部分的に基づく、Ｃ６６に記載の方法。
［Ｃ７０］
空間スキーム検出および変調フォーマット検出のうちの少なくとも１つに少なくとも部分的に基づいて、グループ確率重みが決定される、Ｃ６６に記載の方法。
［Ｃ７１］
前記信号はセルから受信され、
前記セルとの以前の通信に少なくとも部分的に基づいて、グループ確率重みが決定される、Ｃ６６に記載の方法。
［Ｃ７２］
送信機との以前の通信に少なくとも部分的に基づいて、グループ確率重みが決定される、Ｃ６６に記載の方法。
［Ｃ７３］
前記シンボル・レベル干渉除去は、送信される可能性のある変調されたシンボルの拡張コンステレーションに少なくとも部分的に基づいて実行され、
前記拡張コンステレーションは、前記複数のコンステレーションの結合を備え、
前記拡張コンステレーション内のおのおののシンボルの確率は、前記シンボルが属するコンステレーションの、決定された確率重みに少なくとも部分的に基づく、Ｃ６７に記載の方法。
［Ｃ７４］
無線通信のための装置であって、
信号を受信する手段と、
前記信号の空間スキームおよび変調フォーマットのうちの少なくとも１つが知られていないことを判定する手段と、
複数のコンステレーションを決定する手段と、ここで、おのおののコンステレーションは、可能な空間スキームと変調フォーマットとの組み合わせに関連付けられた、送信される可能性のある複数の変調されたシンボルを備える、
おのおののコンステレーションの確率重みを決定する手段と、を備える装置。
［Ｃ７５］
前記決定された複数のコンステレーションと前記決定されたおのおののコンステレーションの確率重みとを用いて、シンボル・レベル干渉除去を実行する手段、をさらに備えるＣ７４に記載の装置。
［Ｃ７６］
前記複数のコンステレーションにおいて、送信される可能性のある変調されたシンボルのおのおののシンボル確率重みを決定する手段をさらに備え、
前記シンボル・レベル干渉除去は、前記決定されたシンボル確率重みを用いて実行される、Ｃ７５に記載の装置。
［Ｃ７７］
前記コンステレーションのおのおのの確率重みは、割り当てられた値に少なくとも部分的に基づいて決定される、Ｃ７４に記載の装置。
［Ｃ７８］
空間スキーム検出および変調フォーマット検出のうちの少なくとも１つに少なくとも部分的に基づいて、グループ確率重みが決定される、Ｃ７４に記載の装置。
［Ｃ７９］
前記信号はセルから受信され、
前記セルとの以前の通信に少なくとも部分的に基づいて、グループ確率重みが決定される、Ｃ７４に記載の装置。
［Ｃ８０］
送信機との以前の通信に少なくとも部分的に基づいて、グループ確率重みが決定される、Ｃ７４に記載の装置。
［Ｃ８１］
前記シンボル・レベル干渉除去は、送信される可能性のある変調されたシンボルの拡張コンステレーションに少なくとも部分的に基づいて実行され、
前記拡張コンステレーションは、前記複数のコンステレーションの結合を備え、
前記拡張コンステレーション内のおのおののシンボルの確率は、前記シンボルが属するコンステレーションの、決定された確率重みに少なくとも部分的に基づく、Ｃ７５に記載の装置。
［Ｃ８２］
コンピュータ・プログラム製品であって、
信号を受信することと、
前記信号の空間スキームおよび変調フォーマットのうちの少なくとも１つが知られていないことを判定することと、
複数のコンステレーションを決定することと、ここで、おのおののコンステレーションは、可能な空間スキームと変調フォーマットとの組み合わせに関連付けられた、送信される可能性のある複数の変調されたシンボルを備える、
おのおののコンステレーションの確率重みを決定することとのためのコード、を備えるコンピュータ読取可能な媒体を備えるコンピュータ・プログラム製品。
［Ｃ８３］
前記コンピュータ読取可能な媒体はさらに、前記決定された複数のコンステレーションと前記決定されたおのおののコンステレーションの確率重みとを用いて、シンボル・レベル干渉除去を実行することのためのコードを備える、Ｃ８２に記載のコンピュータ・プログラム製品。
［Ｃ８４］
無線通信の装置であって、
信号を受信することと、
前記信号の空間スキームおよび変調フォーマットのうちの少なくとも１つが知られていないことを判定することと、
複数のコンステレーションを決定することと、ここで、おのおののコンステレーションは、可能な空間スキームと変調フォーマットとの組み合わせに関連付けられた、送信される可能性のある複数の変調されたシンボルを備える、
おのおののコンステレーションの確率重みを決定することとを実行するように構成された処理システム、を備える装置。
［Ｃ８５］
前記処理システムはさらに、前記決定された複数のコンステレーションと前記決定されたおのおののコンステレーションの確率重みとを用いて、シンボル・レベル干渉除去を実行するように構成された、Ｃ８４に記載の装置。
【図１】
0005940674.tif 000026
【図２】
0005940674.tif 000027
【図３】
0005940674.tif 000028
【図４】
0005940674.tif 000029
【図５】
0005940674.tif 000030
【図６】
0005940674.tif 000031
【図７】
0005940674.tif 000032
【図８】
0005940674.tif 000033
【図９】
0005940674.tif 000034
【図１０】
0005940674.tif 000035
【図１１】
0005940674.tif 000036
【図１２】
0005940674.tif 000037
【図１３】
0005940674.tif 000038
【図１４Ａ】
0005940674.tif 000039
【図１４Ｂ】
0005940674.tif 000040
【図１４Ｃ】
0005940674.tif 000041
【図１５】
0005940674.tif 000042
【図１６】
0005940674.tif 000043
【図１７】
0005940674.tif 000044
【図１８】
0005940674.tif 000045
【図１９】
0005940674.tif 000046
【図２０】
0005940674.tif 000047
【図２１】
0005940674.tif 000048
【図２２】
0005940674.tif 000049
【図２３】
0005940674.tif 000050